(57)【要約】この出願は、情報送信方法及び装置を提供し、通信デバイスが全てのモニタリング機会においてダウンリンク制御情報を盲目的にモニタリングするときに起因する電力消費の問題を解決するための通信技術の分野に関する。方法は、通信デバイスによって、ターゲットビームについての情報を決定するステップと、ターゲットビームについての情報、及び、ビームについての情報とモニタリング機会との間のマッピング関係に基づいて、ターゲットモニタリング機会を決定するステップであって、ターゲットモニタリング機会は、システム情報ウィンドウ内にあり、システム情報ウィンドウは、ＯＳＩのために用いられる、ステップと、ターゲットモニタリング機会においてダウンリンク制御情報をモニタリングするステップと、を含む。この出願は、ネットワークデバイスと通信デバイスとの間の情報送信の処理に適用可能である。
2021528013.tif 000002
【特許請求の範囲】
【請求項１】
情報送信方法であって、前記方法は、
ビームについての情報、及び、ビームについての情報とモニタリング機会との間のマッピング関係に基づいて、前記ビームについての前記情報に対応するモニタリング機会を決定するステップであって、前記モニタリング機会は、システム情報ウィンドウ内にあり、前記システム情報ウィンドウは、他のシステム情報ＯＳＩのために用いられる、ステップと、
前記ビームについての前記情報に対応する前記モニタリング機会においてダウンリンク制御情報を送信するステップと、
を含む、情報送信方法。
【請求項２】
ビームについての情報とモニタリング機会との間の前記マッピング関係は、前記ビームのインデックスと前記モニタリング機会の番号との間の差がプリセット値に等しいことを含む、
請求項１に記載の情報送信方法。
【請求項３】
ビームについての情報とモニタリング機会との間の前記マッピング関係は、
インデックスがｉであるビームが、番号がｉ＊ｍから（ｉ＋１）＊ｍ−１までであるｍ個のモニタリング機会に対応することを含み、ｍ＝ｆｌｏｏｒ（Ｍ／Ｎ）であり、ｆｌｏｏｒは、切り捨てを表し、Ｍは、前記システム情報ウィンドウに含まれるモニタリング機会の総数量を表し、Ｎは、セルによって実際に送信されるビームの総数量を表す、
請求項１に記載の情報送信方法。
【請求項４】
ビームについての情報とモニタリング機会との間の前記マッピング関係は、次の式、即ち、ｍｏｄ（機会インデックス，Ｎ）＝ｉを満たし、
機会インデックスは、前記システム情報ウィンドウにおけるモニタリング機会の番号を表し、Ｎは、セルによって実際に送信されるビームの総数量を表し、ｉは、ビームのインデックスを表す、
請求項１に記載の情報送信方法。
【請求項５】
前記システム情報ウィンドウにおける第１番目のモニタリング機会から開始する連続番号付けが実行される、
請求項２〜４のいずれか１項に記載の情報送信方法。
【請求項６】
前記モニタリング機会は、プリセット条件を満たす、
請求項１〜５のいずれか１項に記載の情報送信方法。
【請求項７】
前記プリセット条件は、前記モニタリング機会が、アップリンクシンボルと衝突しないことである、又は
前記プリセット条件は、前記モニタリング機会が、前記フレキシブルシンボルと衝突しないことである、又は
前記プリセット条件は、前記モニタリング機会が、前記ＳＳＢと衝突しないことである、
請求項１〜６のいずれか１項に記載の情報送信方法。
【請求項８】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項６又は７に記載の情報送信方法。
【請求項９】
情報送信方法であって、前記方法は、
ターゲットビームについての情報、及び、ビームについての情報とモニタリング機会との間のマッピング関係に基づいて、ターゲットモニタリング機会を決定するステップであって、前記ターゲットモニタリング機会は、前記システム情報ウィンドウ内にあり、前記システム情報ウィンドウは、他のシステム情報ＯＳＩのために用いられる、ステップと、
前記ターゲットモニタリング機会においてダウンリンク制御情報をモニタリングするステップと、
を含む、情報送信方法。
【請求項１０】
ビームについての情報とモニタリング機会との間の前記マッピング関係は、前記ビームのインデックスと前記モニタリング機会の番号との間の差がプリセット値に等しいことを含む、
請求項９に記載の情報送信方法。
【請求項１１】
ビームについての情報とモニタリング機会との間の前記マッピング関係は、
インデックスがｉであるビームが、番号がｉ＊ｍから（ｉ＋１）＊ｍ−１までであるｍ個のモニタリング機会に対応することを含み、ｍ＝ｆｌｏｏｒ（Ｍ／Ｎ）であり、ｆｌｏｏｒは、切り捨てを表し、Ｍは、前記システム情報ウィンドウに含まれるモニタリング機会の総数量を表し、Ｎは、セルによって実際に送信されるビームの総数量を表す、
請求項９に記載の情報送信方法。
【請求項１２】
ビームについての情報とモニタリング機会との間の前記マッピング関係は、次の式、即ち、ｍｏｄ（機会インデックス，Ｎ）＝ｉを満たし、
機会インデックスは、前記システム情報ウィンドウにおけるモニタリング機会の番号を表し、Ｎは、セルによって実際に送信されるビームの総数量を表し、ｉは、ビームのインデックスを表す、
請求項９に記載の情報送信方法。
【請求項１３】
前記システム情報ウィンドウにおける第１番目のモニタリング機会から開始する連続番号付けが実行される、
請求項１０〜１２のいずれか１項に記載の情報送信方法。
【請求項１４】
前記モニタリング機会は、プリセット条件を満たす、
請求項９〜１３のいずれか１項に記載の情報送信方法。
【請求項１５】
前記プリセット条件は、前記モニタリング機会が、アップリンクシンボルと衝突しないことである、又は
前記プリセット条件は、前記モニタリング機会が、前記フレキシブルシンボルと衝突しないことである、又は
前記プリセット条件は、前記モニタリング機会が、前記ＳＳＢと衝突しないことである、
請求項１４に記載の情報送信方法。
【請求項１６】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項１４又は１５に記載の情報送信方法。
【請求項１７】
前記ターゲットビームは、特定の条件を満たすビームである、
請求項９〜１６のうちの１つに記載の情報送信方法。
【請求項１８】
前記特定の条件は、前記ターゲットビームの信号強度がプリセット値より大きいこと、又は、前記ターゲットビームの信号強度がプリセット位置より高くランク付けされていること、を含む、
請求項１７に記載の情報送信方法。
【請求項１９】
ネットワークデバイスであって、前記ネットワークデバイスは、
ビームについての情報、及び、ビームについての情報とモニタリング機会との間のマッピング関係に基づいて、前記ビームについての前記情報に対応するモニタリング機会を決定することであって、前記モニタリング機会は、システム情報ウィンドウ内にあり、前記システム情報ウィンドウは、他のシステム情報ＯＳＩのために用いられる、ことを行うように構成された処理モジュールと、
前記ビームについての前記情報に対応する前記モニタリング機会においてダウンリンク制御情報を送信するように構成された送信モジュールと、
を備える、ネットワークデバイス。
【請求項２０】
ビームについての情報とモニタリング機会との間の前記マッピング関係は、前記ビームのインデックスと前記モニタリング機会の番号との間の差がプリセット値に等しいことを含む、
請求項１９に記載のネットワークデバイス。
【請求項２１】
ビームについての情報とモニタリング機会との間の前記マッピング関係は、
インデックスがｉであるビームが、番号がｉ＊ｍから（ｉ＋１）＊ｍ−１までであるｍ個のモニタリング機会に対応することを含み、ｍ＝ｆｌｏｏｒ（Ｍ／Ｎ）であり、ｆｌｏｏｒは、切り捨てを表し、Ｍは、前記システム情報ウィンドウに含まれるモニタリング機会の総数量を表し、Ｎは、セルによって実際に送信されるビームの総数量を表す、
請求項１９に記載のネットワークデバイス。
【請求項２２】
ビームについての情報とモニタリング機会との間の前記マッピング関係は、次の式、即ち、ｍｏｄ（機会インデックス，Ｎ）＝ｉを満たし、
機会インデックスは、前記システム情報ウィンドウにおけるモニタリング機会の番号を表し、Ｎは、セルによって実際に送信されるビームの総数量を表し、ｉは、ビームのインデックスを表す、
請求項２１に記載のネットワークデバイス。
【請求項２３】
前記システム情報ウィンドウにおける第１番目のモニタリング機会から開始する連続番号付けが実行される、
請求項１９〜２２のいずれか１項に記載のネットワークデバイス。
【請求項２４】
前記モニタリング機会は、プリセット条件を満たす、
請求項１９〜２３のいずれか１項に記載のネットワークデバイス。
【請求項２５】
前記プリセット条件は、前記モニタリング機会が、アップリンクシンボルと衝突しないことである、又は
前記プリセット条件は、前記モニタリング機会が、前記フレキシブルシンボルと衝突しないことである、又は
前記プリセット条件は、前記モニタリング機会が、前記ＳＳＢと衝突しないことである、
請求項２４に記載の通信デバイス。
【請求項２６】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項２４又は２５に記載のネットワークデバイス。
【請求項２７】
ターゲットビームについての情報、及び、ビームについての情報とモニタリング機会との間のマッピング関係に基づいて、ターゲットモニタリング機会を決定することであって、前記ターゲットモニタリング機会は、システム情報ウィンドウ内にあり、前記システム情報ウィンドウは、他のシステム情報ＯＳＩのために用いられる、ことを行うように構成された処理モジュールと、
前記ターゲットモニタリング機会においてダウンリンク制御情報をモニタリングするように構成された受信モジュールと、
を備える、通信デバイス。
【請求項２８】
ビームについての情報とモニタリング機会との間の前記マッピング関係は、前記ビームのインデックスと前記モニタリング機会の番号との間の差がプリセット値に等しいことを含む、
請求項２７に記載の通信デバイス。
【請求項２９】
ビームについての情報とモニタリング機会との間の前記マッピング関係は、
インデックスがｉであるビームが、番号がｉ＊ｍから（ｉ＋１）＊ｍ−１までであるｍ個のモニタリング機会に対応することを含み、ｍ＝ｆｌｏｏｒ（Ｍ／Ｎ）であり、ｆｌｏｏｒは、切り捨てを表し、Ｍは、前記システム情報ウィンドウに含まれるモニタリング機会の総数量を表し、Ｎは、セルによって実際に送信されるビームの総数量を表す、
請求項２７に記載の通信デバイス。
【請求項３０】
ビームについての情報とモニタリング機会との間の前記マッピング関係は、次の式、即ち、ｍｏｄ（機会インデックス，Ｎ）＝ｉを満たし、
機会インデックスは、前記システム情報ウィンドウにおけるモニタリング機会の番号を表し、Ｎは、セルによって実際に送信されるビームの総数量を表し、ｉは、ビームのインデックスを表す、
請求項２７に記載の通信デバイス。
【請求項３１】
前記システム情報ウィンドウにおける第１番目のモニタリング機会から開始する連続番号付けが実行される、
請求項２７〜３０のいずれか１項に記載の通信デバイス。
【請求項３２】
前記モニタリング機会は、プリセット条件を満たす、
請求項２７〜３１のいずれか１項に記載の通信デバイス。
【請求項３３】
前記プリセット条件は、前記モニタリング機会が、アップリンクシンボルと衝突しないことである、又は
前記プリセット条件は、前記モニタリング機会が、前記フレキシブルシンボルと衝突しないことである、又は
前記プリセット条件は、前記モニタリング機会が、前記ＳＳＢと衝突しないことである、
請求項３２に記載の通信デバイス。
【請求項３４】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項３２又は３３に記載の通信デバイス。
【請求項３５】
前記ターゲットビームは、特定の条件を満たすビームである、
請求項２７〜３４のうちの１つに記載の通信デバイス。
【請求項３６】
前記特定の条件は、前記ターゲットビームの信号強度がプリセット値より大きいこと、又は、前記ターゲットビームの信号強度がプリセット位置より高くランク付けされていること、を含む、
請求項３５に記載の通信デバイス。
【請求項３７】
ネットワークデバイスによって、通信デバイスに対応するページング機会を決定するステップであって、前記ページング機会は、複数のモニタリング機会を含み、前記モニタリング機会は、プリセット条件を満たす、ステップと、
前記ネットワークデバイスによって、ビームについての情報、及び、ビームについての情報とモニタリング機会との間のマッピング関係に基づいて、前記複数のモニタリング機会から、前記ビームについての前記情報に対応するモニタリング機会を決定するステップであって、前記ビームについての前記情報は、前記ビームのインデックスを含む、ステップと、
前記ネットワークデバイスによって、前記ビームについての前記情報に対応する前記モニタリング機会においてダウンリンク制御情報を送信するステップと、
を含む、情報送信方法。
【請求項３８】
前記ビームの前記インデックスは、同期信号ブロックＳＳＢのインデックスである、
請求項３７に記載の情報送信方法。
【請求項３９】
前記プリセット条件は、前記モニタリング機会がアップリンクシンボルと衝突しないことである、又は
前記プリセット条件は、前記モニタリング機会が前記フレキシブルシンボルと衝突しないことである、又は
前記プリセット条件は、前記モニタリング機会が前記ＳＳＢと衝突しないことである、
請求項３７又は３８に記載の情報送信方法。
【請求項４０】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項３７〜３９のうちの１つに記載の情報送信方法。
【請求項４１】
ビームについての情報とモニタリング機会との間の前記マッピング関係は、ビームとモニタリング機会との間の一対一の対応関係である、
請求項３７〜４０のうちの１つに記載の情報送信方法。
【請求項４２】
通信デバイスによって、ページング機会を決定するステップであって、前記ページング機会は、複数のモニタリング機会を含み、前記モニタリング機会は、プリセット条件を満たす、ステップと、
前記通信デバイスによって、ターゲットビームについての情報を決定するステップと、
前記通信デバイスによって、前記複数のモニタリング機会から、前記ターゲットビームについての前記情報、及び、ビームについての情報とモニタリング機会との間のマッピング関係に基づいて、ターゲットモニタリング機会を決定するステップであって、前記ビームについての前記情報は、前記ビームのインデックスを含む、ステップと、
前記通信デバイスによって、前記ターゲットモニタリング機会においてダウンリンク制御情報をモニタリングするステップと、
を含む、情報送信方法。
【請求項４３】
前記ビームの前記インデックスは、同期信号ブロックＳＳＢのインデックスである、
請求項４２に記載の情報送信方法。
【請求項４４】
前記プリセット条件は、前記モニタリング機会がアップリンクシンボルと衝突しないことである、又は
前記プリセット条件は、前記モニタリング機会が前記フレキシブルシンボルと衝突しないことである、又は
前記プリセット条件は、前記モニタリング機会が前記ＳＳＢと衝突しないことである、
請求項４２又は４３に記載の情報送信方法。
【請求項４５】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項４２〜４４のうちの１つに記載の情報送信方法。
【請求項４６】
ビームについての情報とモニタリング機会との間の前記マッピング関係は、ビームとモニタリング機会との間の一対一の対応関係である、
請求項４２〜４５のうちの１つに記載の情報送信方法。
【請求項４７】
プロセッサとメモリとを備えるネットワークデバイスであって、前記メモリは、コンピュータ実行可能命令を格納するように構成され、前記命令が実行されるとき、前記ネットワークデバイスは、以下のステップ、即ち、
通信デバイスに対応するページング機会を決定するステップであって、前記ページング機会は、複数のモニタリング機会を含み、前記モニタリング機会は、プリセット条件を満たす、ステップと、
ビームについての情報、及び、ビームについての情報とモニタリング機会との間のマッピング関係に基づいて、前記ビームについての前記情報に対応するモニタリング機会を決定するステップであって、前記ビームについての前記情報は、前記ビームのインデックスを含む、ステップと、
前記ビームについての前記情報に対応する前記モニタリング機会においてダウンリンク制御情報を送信するステップと、
を実行する、ネットワークデバイス。
【請求項４８】
前記ビームの前記インデックスは、同期信号ブロックＳＳＢのインデックスである、
請求項４７に記載のネットワークデバイス。
【請求項４９】
前記プリセット条件は、前記モニタリング機会がアップリンクシンボルと衝突しないことである、又は
前記プリセット条件は、前記モニタリング機会が前記フレキシブルシンボルと衝突しないことである、又は
前記プリセット条件は、前記モニタリング機会が前記ＳＳＢと衝突しないことである、
請求項４７又は４８に記載のネットワークデバイス。
【請求項５０】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項４７〜４９のうちの１つに記載のネットワークデバイス。
【請求項５１】
ビームについての情報とモニタリング機会との間の前記マッピング関係は、ビームとモニタリング機会との間の一対一の対応関係である、
請求項４７〜５０のうちの１つに記載のネットワークデバイス。
【請求項５２】
プロセッサとメモリとを備える通信デバイスであって、前記メモリは、コンピュータ実行可能命令を格納するように構成され、前記命令が実行されるとき、前記通信デバイスは、以下のステップ、即ち、
ページング機会を決定するステップであって、前記ページング機会は、複数のモニタリング機会を含み、前記モニタリング機会は、プリセット条件を満たす、ステップと、
ターゲットビームについての情報を決定するステップと、
前記複数のモニタリング機会から、前記ターゲットビームについての前記情報、及び、ビームについての情報とモニタリング機会との間のマッピング関係に基づいて、ターゲットモニタリング機会を決定するステップであって、前記ビームについての前記情報は、前記ビームのインデックスを含む、ステップと、
前記ターゲットモニタリング機会においてダウンリンク制御情報をモニタリングするステップと、
を実行する、通信デバイス。
【請求項５３】
前記ビームの前記インデックスは、同期信号ブロックＳＳＢのインデックスである、
請求項５２に記載の通信デバイス。
【請求項５４】
前記プリセット条件は、前記モニタリング機会がアップリンクシンボルと衝突しないことである、又は
前記プリセット条件は、前記モニタリング機会が前記フレキシブルシンボルと衝突しないことである、又は
前記プリセット条件は、前記モニタリング機会が前記ＳＳＢと衝突しないことである、
請求項５２又は５３に記載の通信デバイス。
【請求項５５】
前記プリセット条件は、以下のこと、即ち、
前記モニタリング機会における全てのシンボルがダウンリンクシンボルであること、
前記モニタリング機会における全てのシンボルがフレキシブルシンボルであること、又は
前記モニタリング機会における全てのシンボルがフレキシブルシンボル又はダウンリンクシンボルであること、
の少なくとも１つ又は任意の組み合わせを含む、
請求項５２〜５４のうちの１つに記載の通信デバイス。
【請求項５６】
ビームについての情報とモニタリング機会との間の前記マッピング関係は、ビームとモニタリング機会との間の一対一の対応関係である、
請求項５２〜５５のうちの１つに記載の通信デバイス。
【請求項５７】
コンピュータ可読記録媒体であって、命令が前記コンピュータ可読記録媒体に格納され、前記命令が実行されるとき、請求項１〜８、９〜１８、３７〜４１、４２〜４６のいずれか１項に記載の前記方法が実行される、コンピュータ可読記録媒体。
【請求項５８】
プログラムであって、前記プログラムが実行されるとき、請求項１〜８、９〜１８、３７〜４１、４２〜４６のいずれか１項に記載の前記方法が実行される、プログラム。
【請求項５９】
請求項１９〜２６のうちの１つに記載の前記ネットワークデバイスと請求項２７〜３６のうちの１つに記載の前記通信デバイス、又は、
請求項４７〜５１のうちの１つに記載の前記ネットワークデバイスと請求項５２〜５６のうちの１つに記載の前記通信デバイス、
を含む、通信システム。
【発明の詳細な説明】
【技術分野】
【０００１】
本出願は、フィールド通信技術に関し、詳細には、情報送信方法及び装置に関する。
【背景技術】
【０００２】
ロングタームエボリューション（Ｌｏｎｇ  Ｔｅｒｍ  Ｅｖｏｌｕｔｉｏｎ、ＬＴＥ）システムと比較して、新無線アクセス技術（Ｎｅｗ  Ｒａｄｉｏ  Ａｃｃｅｓｓ  Ｔｅｃｈｎｏｌｏｇｙ、ＮＲ）システムは、より高いスペクトルにおいて動作する。高周波数信号送信処理における速い減衰及び大きい経路損失のために、ＮＲシステムは、ビームフォーミング技術を使用して良好な指向性をもつビームを取得し、それにより、送信方向における電力を改善し、その結果、送信処理における高周波数信号の減衰が阻止されることが可能である。
【０００３】
現在、ＮＲシステムがビームフォーミング技術を使用するとき、ネットワークデバイスは、ビームスイーピング方式で通信デバイスにダウンリンク制御情報を送信する。ダウンリンク制御情報は、他のシステム情報（Ｏｔｈｅｒ  ｓｙｓｔｅｍ  ｉｎｆｏｒｍａｔｉｏｎ、ＯＳＩ）又はページング情報を搬送するための物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）の時間周波数情報を示すために使用される。通信デバイスは、全てのモニタリング機会において、ネットワークデバイスがダウンリンク制御情報を送信するかどうかをモニタリングする。しかし、ビームの限定されたカバレージエリアのために、いくつかのモニタリング機会では、ネットワークデバイスによって送信されるビームは通信デバイスをカバーすることが不可能である。従って、通信デバイスが、これらのモニタリング機会において、ネットワークデバイスがダウンリンク制御情報を送信するかどうかをモニタリングすることは明らかに効果がなく、それよりも、通信デバイスの電力が浪費される。
【発明の概要】
【０００４】
本出願は、通信デバイスが全てのモニタリング機会においてダウンリンク制御情報をブラインドモニタリングするときに引き起こされる電力浪費の問題を解決するための、情報送信方法及び装置を提供する。
【０００５】
上記の目的を達成するために、本出願は以下の技術的解決策を提供する。
【０００６】
第１の態様によれば、情報送信方法が提供され、ビームについての情報及びビームとモニタリング機会との間のマッピング関係に基づいてネットワークデバイスによって、ビームに対応するモニタリング機会を決定することであって、モニタリング機会はシステム情報ウィンドウ中にあり、システム情報ウィンドウはＯＳＩのために使用される、ことと、ビームに対応するモニタリング機会におけるビームを使用することによってダウンリンク制御情報を送信することとを含む。このようにして、特定のビームのカバレージエリア内の通信デバイスは、ダウンリンク制御情報を受信するために、システム情報ウィンドウ中の各モニタリング機会におけるダウンリンク制御情報をモニタリングする必要なしに、ビームに対応するモニタリング機会のみをモニタリングする必要があり、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【０００７】
可能な設計では、ビームとモニタリング機会との間のマッピング関係は、ビームのインデックスとモニタリング機会の番号との間の差がプリセット値に等しいことを含む。このようにして、ネットワークデバイスは、ビームのインデックスに基づいて、ビームに対応するモニタリング機会の番号を決定することができる。
【０００８】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒは切り捨てを表し、Ｍは、システム情報ウィンドウ中に含まれるモニタリング機会の総数量を表し、Ｎは、セルによって実際に送信されたビームの総数量を表す。これは、セル中の各ビームが、システム情報ウィンドウ中の１つ又は複数のモニタリング機会に対応することを保証する。
【０００９】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。これは、セル中の各ビームが、システム情報ウィンドウ中の１つ又は複数のモニタリング機会に対応することを保証する。
【００１０】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。これは、システム情報ウィンドウ中の各モニタリング機会が一意の番号を有することを保証する。
【００１１】
任意選択で、モニタリング機会は第１のモニタリング機会であるか、又はモニタリング機会は第２のモニタリング機会であり、第２のモニタリング機会は、プリセット条件を満たす第１のモニタリング機会である。モニタリング機会が第２のモニタリング機会であるとき、モニタリング機会とアップリンクシンボルとの間、モニタリング機会とフレキシブルシンボルとの間、又はモニタリング機会とＳＳＢとの間の衝突が回避されることが可能であり、ネットワークデバイスがモニタリング機会においてダウンリンク制御情報を正常に送信することができることが保証され、それにより、通信デバイスがＯＳＩを正常に取得することができることが保証されることに留意されたい。
【００１２】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会において同期信号ブロック（Ｓｙｎｃｈｒｏｎｉｚａｔｉｏｎ  Ｓｉｇｎａｌ  ｂｌｏｃｋ、ＳＳＢ）が搬送されないこと
の少なくとも１つ又は任意の組み合わせを含む。
【００１３】
第２の態様によれば、情報送信方法が提供され、通信デバイスによって、ターゲットビームについての情報を決定することと、ターゲットビームについての情報及びビームとモニタリング機会との間のマッピング関係に基づいてターゲットモニタリング機会を決定することであって、ターゲットモニタリング機会はシステム情報ウィンドウ中にあり、システム情報ウィンドウは他のシステム情報ＯＳＩのために使用される、ことと、ターゲットモニタリング機会においてダウンリンク制御情報をモニタリングすることとを含む。このようにして、通信デバイスは、システム情報ウィンドウ中の各モニタリング機会におけるダウンリンク制御情報をモニタリングする必要がなく、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【００１４】
可能な設計では、ビームとモニタリング機会との間のマッピング関係は、ビームのインデックスとモニタリング機会の番号との間の差がプリセット値に等しいことを含む。このようにして、ネットワークデバイスは、ビームのインデックスに基づいて、ビームに対応するモニタリング機会の番号を決定することができる。
【００１５】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒは切り捨てを表し、Ｍは、システム情報ウィンドウ中に含まれるモニタリング機会の総数量を表し、Ｎは、セルによって実際に送信されたビームの総数量を表す。これは、セル中の各ビームが、システム情報ウィンドウ中の１つ又は複数のモニタリング機会に対応することを保証する。
【００１６】
可能な設計では、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。これは、セル中の各ビームが、システム情報ウィンドウ中の１つ又は複数のモニタリング機会に対応することを保証する。
【００１７】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。これは、システム情報ウィンドウ中の各モニタリング機会が一意の番号を有することを保証する。
【００１８】
任意選択で、モニタリング機会は第１のモニタリング機会であるか、又はモニタリング機会は第２のモニタリング機会であり、第２のモニタリング機会は、プリセット条件を満たす第１のモニタリング機会である。モニタリング機会が第２のモニタリング機会であるとき、モニタリング機会とアップリンクシンボルとの間、モニタリング機会とフレキシブルシンボルとの間、又はモニタリング機会とＳＳＢとの間の衝突が回避されることが可能であり、ネットワークデバイスがモニタリング機会においてダウンリンク制御情報を正常に送信することができることが保証され、それにより、通信デバイスがＯＳＩを正常に取得することができることが保証されることに留意されたい。
【００１９】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００２０】
第３の態様によれば、情報送信方法が提供され、ネットワークデバイスによって、通信デバイスに対応するページング機会を決定することであって、ページング機会は複数のモニタリング機会を含み、モニタリング機会はプリセット条件を満たす、ことと、ビームについての情報及びビームとモニタリング機会との間のマッピング関係に基づいて、ビームに対応するモニタリング機会を決定することと、ビームに対応するモニタリング機会におけるビームを使用することによってダウンリンク制御情報を送信することとを含む。上記の技術的解決策に基づいて、ページング機会中に含まれるモニタリング機会がプリセット条件を満たすので、ページング機会中に含まれるモニタリング機会は、アップリンクシンボル、フレキシブルシンボル、又はＳＳＢと衝突しない。これは、ネットワークデバイスが、ページング機会中に含まれるモニタリング機会においてダウンリンク制御情報を正常に送信することができることを保証し、それにより、通信デバイスがページング情報を正常に取得することができることを保証する。
【００２１】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００２２】
可能な設計では、ネットワークデバイスによって、通信デバイスに対応するページング機会を決定することは、式ｉ＿ｓ＝ｆｌｏｏｒ（ＵＥ＿ＩＤ／Ｎ）  ｍｏｄ  Ｎsに従って、通信デバイスに対応するページング機会の番号を決定することであって、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である、ことを含む。
【００２３】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００２４】
任意選択で、モニタリング機会に番号付けするためのルールは、モニタリング機会が、通信デバイスに対応するページングフレームの開始境界の後の１番目のモニタリング機会から開始して０から連続的に番号付けされることである。これは、ページングフレームの開始境界の後のモニタリング機会が一意の番号を有することを保証する。
【００２５】
第４の態様によれば、情報送信方法が提供され、通信デバイスによって、通信デバイスに対応するページング機会を決定することであって、ページング機会は複数のモニタリング機会を含み、モニタリング機会はプリセット条件を満たす、ことと、ターゲットビームについての情報を決定することと、ターゲットビームについての情報及びビームとモニタリング機会との間のマッピング関係に基づいてターゲットモニタリング機会を決定することと、ターゲットモニタリング機会においてダウンリンク制御情報をモニタリングすることとを含む。上記の技術的解決策に基づいて、ページング機会中に含まれるモニタリング機会がプリセット条件を満たすので、ページング機会は、アップリンクシンボル、フレキシブルシンボル、又はＳＳＢと衝突しない。従って、通信デバイスは、ターゲットモニタリング機会においてダウンリンク制御情報を受信することができ、それにより、通信デバイスがページング情報を正常に取得することができることを保証する。加えて、通信デバイスは、ページング機会中に含まれる各モニタリング機会におけるダウンリンク制御情報をモニタリングする必要なしに、ターゲットモニタリング機会においてのみダウンリンク制御情報をモニタリングするので、それにより、通信デバイスによるモニタリングの回数を低減し、モニタリング効率を改善し、通信デバイスの電力消費量を低減する。
【００２６】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００２７】
可能な設計では、通信デバイスによって、通信デバイスに対応するページング機会を決定することは、通信デバイスによって式ｉ＿ｓ＝ｆｌｏｏｒ（ＵＥ＿ＩＤ／Ｎ）  ｍｏｄＮsに従って、通信デバイスに対応するページング機会の番号を決定することであって、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である、ことを含む。
【００２８】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００２９】
任意選択で、モニタリング機会に番号付けするためのルールは、モニタリング機会が、通信デバイスに対応するページングフレームの開始境界の後の１番目のモニタリング機会から開始して０から連続的に番号付けされることである。これは、ページングフレームの開始境界の後のモニタリング機会が一意の番号を有することを保証する。
【００３０】
第５の態様によれば、処理モジュール及び送信モジュールを含む、ネットワークデバイスが提供される。処理モジュールは、ビームについての情報及びビームとモニタリング機会との間のマッピング関係に基づいて、ビームに対応するモニタリング機会を決定するように構成され、モニタリング機会はシステム情報ウィンドウ中にあり、システム情報ウィンドウはＯＳＩのために使用される。送信モジュールは、ビームに対応するモニタリング機会におけるビームを使用することによってダウンリンク制御情報を送信するように構成される。
【００３１】
可能な設計では、ビームとモニタリング機会との間のマッピング関係は、ビームのインデックスとモニタリング機会の番号との間の差がプリセット値に等しいことを含む。
【００３２】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒは切り捨てを表し、Ｍは、システム情報ウィンドウ中に含まれるモニタリング機会の総数量を表し、Ｎは、セルによって実際に送信されたビームの総数量を表す。
【００３３】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。
【００３４】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。
【００３５】
任意選択で、モニタリング機会は第１のモニタリング機会であるか、又はモニタリング機会は第２のモニタリング機会であり、第２のモニタリング機会は、プリセット条件を満たす第１のモニタリング機会である。
【００３６】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００３７】
第６の態様によれば、処理モジュール及び送信モジュールを含む、ネットワークデバイスが提供される。処理モジュールは、通信デバイスに対応するページング機会を決定するように構成され、ページング機会は複数のモニタリング機会を含み、モニタリング機会はプリセット条件を満たす。処理モジュールは、ビームについての情報及びビームとモニタリング機会との間のマッピング関係に基づいて、ビームに対応するモニタリング機会を決定するようにさらに構成される。送信モジュールは、ビームに対応するモニタリング機会におけるビームを使用することによってダウンリンク制御情報を送信するように構成される。
【００３８】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００３９】
可能な設計では、処理モジュールは、式ｉ＿ｓ＝ｆｌｏｏｒ（ＵＥ＿ＩＤ／Ｎ）  ｍｏｄＮsに従って、通信デバイスに対応するページング機会の番号を決定するように構成され、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である。
【００４０】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００４１】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【００４２】
第７の態様によれば、プロセッサ及びメモリを含む、ネットワークデバイスが提供される。メモリは、コンピュータ実行可能命令を記憶するように構成され、ネットワークデバイスが実行されたとき、プロセッサは、メモリに記憶されたコンピュータ実行可能命令を実行し、それにより、ネットワークデバイスは、第１の態様又は第３の態様の可能な設計のいずれか１つによる情報送信方法を実施する。
【００４３】
第８の態様によれば、コンピュータ可読記憶媒体が提供され、コンピュータ可読記憶媒体は命令を記憶し、命令がコンピュータ上で実行されたとき、コンピュータは、第１の態様又は第３の態様の可能な設計のいずれか１つによる情報送信方法を実施することが可能である。
【００４４】
第９の態様によれば、命令を含むコンピュータプログラム製品が提供され、命令がコンピュータ上で実行されたとき、コンピュータは、第１の態様又は第３の態様の可能な設計のいずれか１つによる情報送信方法を実施することが可能である。
【００４５】
第１０の態様によれば、チップシステムが提供され、チップシステムは、第１の態様又は第３の態様の可能な設計のいずれか１つによる情報送信方法の機能を実装する際にネットワークデバイスをサポートするように構成された、プロセッサを含む。可能な設計では、チップシステムはメモリをさらに含み、メモリは、ネットワークデバイスのために必要であるプログラム命令及びデータを記憶するように構成される。チップシステムは、チップを含み得るか、又はチップ及び別の個別デバイスを含み得る。
【００４６】
第５の態様から第１０の態様におけるいずれかの設計によってもたらされる技術的効果については、第１の態様又は第３の態様における様々な設計によってもたらされる技術的効果を参照されたい。詳細について本明細書で再び説明されない。
【００４７】
第１１の態様によれば、通信デバイスが提供され、この通信デバイスは、ターゲットビームについての情報を決定するように構成された処理モジュールであって、処理モジュールは、ターゲットビームについての情報及びビームとモニタリング機会との間のマッピング関係に基づいてターゲットモニタリング機会を決定するようにさらに構成され、ターゲットモニタリング機会はシステム情報ウィンドウ中にあり、システム情報ウィンドウはＯＳＩのために使用される、処理モジュールと、ターゲットモニタリング機会においてダウンリンク制御情報をモニタリングするように構成された受信モジュールとを含む。
【００４８】
可能な設計では、ビームとモニタリング機会との間のマッピング関係は、ビームのインデックスとモニタリング機会の番号との間の差がプリセット値に等しいことを含む。
【００４９】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒは切り捨てを表し、Ｍは、システム情報ウィンドウ中に含まれるモニタリング機会の総数量を表し、Ｎは、セルによって実際に送信されたビームの総数量を表す。
【００５０】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。
【００５１】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。
【００５２】
任意選択で、モニタリング機会は第１のモニタリング機会であるか、又はモニタリング機会は第２のモニタリング機会であり、第２のモニタリング機会は、プリセット条件を満たす第１のモニタリング機会である。
【００５３】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００５４】
第１２の態様によれば、処理モジュール及び受信モジュールを含む、通信デバイスが提供される。処理モジュールは、通信デバイスに対応するページング機会を決定するように構成され、ページング機会は複数のモニタリング機会を含み、モニタリング機会はプリセット条件を満たす。処理モジュールは、ターゲットビームについての情報を決定することと、ターゲットビームについての情報及びビームとモニタリング機会との間のマッピング関係に基づいてターゲットモニタリング機会を決定することとを行うようにさらに構成される。受信モジュールは、ターゲットモニタリング機会においてダウンリンク制御情報をモニタリングするように構成される。
【００５５】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００５６】
可能な設計では、処理モジュールは、式ｉ＿ｓ＝ｆｌｏｏｒ（ＵＥ＿ＩＤ／Ｎ）  ｍｏｄＮsに従って、通信デバイスに対応するページング機会の番号を決定するように構成され、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である。
【００５７】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００５８】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【００５９】
第１３の態様によれば、プロセッサ及びメモリを含む、通信デバイスが提供される。メモリは、コンピュータ実行可能命令を記憶するように構成され、通信デバイスが実行されたとき、プロセッサは、メモリに記憶されたコンピュータ実行可能命令を実行し、それにより、通信デバイスは、第２の態様又は第４の態様の可能な設計のいずれか１つによる情報送信方法を実施する。
【００６０】
第１４の態様によれば、コンピュータ可読記憶媒体が提供され、コンピュータ可読記憶媒体は命令を記憶し、命令がコンピュータ上で実行されたとき、コンピュータは、第２の態様又は第４の態様の可能な設計のいずれか１つによる情報送信方法を実施することが可能である。
【００６１】
第１５の態様によれば、命令を含むコンピュータプログラム製品が提供され、命令がコンピュータ上で実行されたとき、コンピュータは、第２の態様又は第４の態様の可能な設計のいずれか１つによる情報送信方法を実施することが可能である。
【００６２】
第１６の態様によれば、チップシステムが提供され、チップシステムは、第２の態様又は第４の態様の可能な設計のいずれか１つによる情報送信方法の機能を実装する際に通信デバイスをサポートするように構成された、プロセッサを含む。可能な設計では、チップシステムはメモリをさらに含み、メモリは、通信デバイスのために必要であるプログラム命令及びデータを記憶するように構成される。チップシステムは、チップを含み得るか、又はチップ及び別の個別デバイスを含み得る。
【００６３】
第１１の態様から第１６の態様におけるいずれかの設計によってもたらされる技術的効果については、第２の態様又は第４の態様における様々な設計によってもたらされる技術的効果を参照されたい。詳細について本明細書で再び説明されない。
【図面の簡単な説明】
【００６４】
【図１】ビームスイーピングの概略図である。
【図２】共通サーチスペースにおけるモニタリング機会の概略図である。
【図３】本出願の実施形態による通信システムの概略図である。
【図４】本出願の実施形態によるネットワークデバイス及び通信デバイスのハードウェア構造の概略図である。
【図５】本出願の実施形態による情報送信方法のフローチャートである。
【図６】本出願の実施形態による別の情報送信方法のフローチャートである。
【図７】本出願の実施形態によるネットワークデバイスの概略構造図１である。
【図８】本出願の実施形態によるネットワークデバイスの概略構造図２である。
【図９】本出願の実施形態によるネットワークデバイスの概略構造図３である。
【図１０】本出願の実施形態によるネットワークデバイスの概略構造図４である。
【図１１】本出願の実施形態による通信デバイスの概略構造図１である。
【図１２】本出願の実施形態による通信デバイスの概略構造図２である。
【図１３】本出願の実施形態による通信デバイスの概略構造図３である。
【図１４】本出願の実施形態による通信デバイスの概略構造図４である。
【発明を実施するための形態】
【００６５】
本出願における「第１の」、「第２の」などの用語は、異なる対象の間で区別することを意図されており、それらの順序を限定しない。例えば、第１のモニタリング機会及び第２のモニタリング機会は、異なるモニタリング機会の間で区別することを意図されているにすぎず、それらの順序を限定しない。
【００６６】
本出願における「及び／又は」という用語は、関連する対象を記述するための関連付け関係を記述するにすぎず、３つの関係が存在し得ることを示す。例えば、Ａ及び／又はＢは、Ａのみが存在する、ＡとＢの両方が存在する、及びＢのみが存在するの、３つの場合を表し得る。加えて、本出願における「／」という文字は、関連する対象間の「又は」関係を概して示す。
【００６７】
本出願では、「例示的な」又は「例えば」という語は、例、例示、又は説明を与えることを表すために使用されることに留意されたい。本出願において「例示的な」又は「例えば」として記述されるいかなる実施形態又は設計方式も、別の実施形態又は設計方式よりも好ましいか又はより多くの利点を有するものとして説明されるべきではない。正確には、「例示的な」又は「例」などの語の使用は、関係する概念を特定の方式で提示することを意図されている。
【００６８】
加えて、本出願の実施形態において説明されるネットワークアーキテクチャ及びサービスシナリオは、本出願の実施形態における技術的解決策についてより明確に説明することを意図されており、本出願の実施形態において提供される技術的解決策に対する限定とはならない。当業者は、ネットワークアーキテクチャの発展及び新しいサービスシナリオの出現とともに、本出願の実施形態において提供される技術的解決策が同様の技術的問題にも適用可能であることを知っているであろう。
【００６９】
本出願の実施形態において提供される方法について説明する前に、以下で、いくつかの概念について最初に手短に説明する。
【００７０】
１．無線フレーム
【００７１】
現在、ＮＲ通信システムでは、各無線フレームの長さは１０ｍｓであり、１つの無線フレームは複数のスロットを含み、１つのスロットは１４個の直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。サブキャリア間隔（Ｓｕｂｃａｒｒｉｅｒ  Ｓｐａｃｅ、ＳＣＳ）が１５ｋＨｚであるとき、スロットの時間領域長さは１ｍｓである。
【００７２】
スロット中のＯＦＤＭシンボルの送信方向は、アップリンク、ダウンリンク、又はフレキシブルであり得る。ＯＦＤＭシンボルの送信方向がダウンリンクであることは、ネットワークデバイスが通信デバイスに情報を送信することを意味する。ＯＦＤＭシンボルの送信方向がアップリンクであることは、通信デバイスがネットワークデバイスに情報を送信することを意味する。ＯＦＤＭシンボルの送信方向がフレキシブルであることは、ＯＦＤＭシンボルの送信方向がアップリンクであり得るか又はダウンリンクであり得ることを意味する。
【００７３】
スロット中のシンボルの送信方向の組み合わせは、スロットのフォーマットとして理解されてよい。現在の規格はスロットフォーマットを指定し、その一部が表１に示されている。表１において、Ｄは、シンボルの送信方向がダウンリンクであることを示し、Ｕは、シンボルの送信方向がアップリンクであることを示し、Ｘは、シンボルの送信方向がフレキシブルであることを示す。
【００７４】
【表１】
2021528013.tif 000003
【００７５】
２．ビーム
【００７６】
ビームは通信リソースであり、アンテナを使用することによって信号が送信された後に様々な空間方向に形成される信号強度分布として理解されてよい。ビームは、データチャネル情報、制御チャネル情報、サウンディング信号などを送信するために使用され得る。ネットワークデバイスは、異なるビームを使用することによって同じ情報又は異なる情報を送り得る。
【００７７】
ビームフォーミング技術が使用された後に、ネットワークデバイスは、様々な指向性をもつ複数のビームを使用してセルを完全にカバーする必要がある。従って、ネットワークデバイスは通常、ビームスイーピング方式でダウンリンク情報を送信し、即ち、ネットワークデバイスは、様々な指向性をもつビームを使用することによって通信デバイスにダウンリンク情報を送信する。
【００７８】
例えば、図１を参照するとビームスイーピング方式について説明され、ネットワークデバイスは、ビーム１、ビーム２、及びビーム３を使用することによってセルをカバーする。ダウンリンク情報を送信する処理において、ネットワークデバイスは、最初に、ビーム１を使用することによってダウンリンク情報を送信し、次いで、ネットワークデバイスは、ビーム２を使用することによってダウンリンク情報を送信し、最後に、ネットワークデバイスは、ビーム３を使用することによってダウンリンク情報を送信する。このようにして、通信デバイスは、セルのカバレージエリア内の通信デバイスのロケーションにかかわらず、ネットワークデバイスによって送信されたダウンリンク情報を受信することができる。
【００７９】
３．システム情報
【００８０】
システム情報は、最小システム情報（Ｍｉｎｉｍｕｍ  ｓｙｓｔｅｍ  ｉｎｆｏｒｍａｔｉｏｎ、ＭＳＩ）及びＯＳＩを含む。
【００８１】
ＭＳＩは、マスタ情報ブロック（Ｍａｓｔｅｒ  Ｉｎｆｏｒｍａｔｉｏｎ  Ｂｌｏｃｋ、ＭＩＢ）及びシステム情報ブロック１（Ｓｙｓｔｅｍ  ｉｎｆｏｒｍａｔｉｏｎ  ｂｌｏｃｋ  １、ＳＩＢ１）を含む。ＭＩＢは、システムフレーム番号などの重要なパラメータを含む。ＳＩＢ１は、セルが利用可能であるかどうかを通信デバイスによって決定するために使用される、キャンピング閾値などのパラメータを含む。
【００８２】
ＯＳＩは、ＳＩＢ１以外の１つ又は複数のシステム情報ブロックを含む。例えば、ＯＳＩは、ＳＩＢ２、ＳＩＢ３などを含み得る。
【００８３】
４．共通サーチスペース（Ｃｏｍｍｏｎ  Ｓｅａｒｃｈ  Ｓｐａｃｅ、ＣＳＳ）
【００８４】
共通サーチスペースは時間周波数リソースである。共通サーチスペースは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を送信するために使用され、ＰＤＣＣＨは、ＯＳＩのページングメッセージ又はダウンリンク制御情報を搬送する。通信デバイスは、ダウンリンク制御情報を取得するために、共通サーチスペースのモニタリング機会において共通サーチスペースをブラインド検出する必要がある。
【００８５】
現在の規格では、共通サーチスペースのモニタリング機会は、以下のパラメータを使用することによって構成される。
【００８６】
（１）スロットにおいて測定された、サイクルｋp,s。
【００８７】
（２）１サイクル中の連続する測定されるべきスロットの数量ｎs、ここで、測定されるべきスロットは、モニタリング機会を含むスロットである。
【００８８】
（３）オフセットスロットｏp,s。
【００８９】
（４）１４ビットビットマップ（ｂｉｔ  ｍａｐ）によって表され、スロット中に含まれるモニタリング機会における１番目のシンボルのロケーションを示すために使用される、スロット中のサウンディングシンボルビット情報。
【００９０】
（５）モニタリング機会中に含まれる連続するシンボルの数量である、サウンディング持続時間。
【００９１】
（６）無線フレーム中の１番目の測定されるべきスロットが、式
【００９２】
【数１】
2021528013.tif 000004
【００９３】
を使用することによって決定される。
【００９４】
【数２】
2021528013.tif 000005
【００９５】
は、無線フレーム中のスロットの数量であり、ｎfは、無線フレームの数量を表し、
【００９６】
【数３】
2021528013.tif 000006
【００９７】
は、無線フレーム中の１番目の測定されるべきスロットの番号を表す。
【００９８】
例えば、ｋp,s＝５、ｏp,s＝１、ビットマップ＝［００００１００００１００００］であり、サウンディング持続時間が３つのシンボルであり、
【００９９】
【数４】
2021528013.tif 000007
【０１００】
かつｎs＝３である場合、共通サーチスペース中に含まれるモニタリング機会は図２に示され得る。
【０１０１】
５．システム情報ウィンドウ（ＳＩ−Ｗｉｎｄｏｗｓ）
【０１０２】
システム情報ウィンドウはＯＳＩのために使用される。各ＯＳＩのダウンリンク制御情報は、ＯＳＩに対応するシステム情報ウィンドウ中でのみ送信され、各システム情報ウィンドウ中では、対応するＯＳＩのダウンリンク制御情報のみが送信されることが可能であり、他のＯＳＩのダウンリンク制御情報は送信されることが不可能であることに留意されたい。
【０１０３】
システム情報ウィンドウは、次のパラメータ、即ち、システム情報ウィンドウの開始フレーム及び開始スロット、システム情報ウィンドウの長さ、システム情報ウィンドウのサイクル、及び、ＯＳＩリスト中のＯＳＩのシーケンス番号、に基づいて決定される。
【０１０４】
システム情報ウィンドウの長さは、システム情報ウィンドウ中に含まれるスロットの数量である。ＯＳＩリストは、送信されるべきＯＳＩを示すために使用され、ＯＳＩリスト中のＯＳＩは１から連続的に番号付けされる。ネットワークデバイスでは、システム情報ウィンドウのサイクル、システム情報ウィンドウの長さ、及びＯＳＩリストは全てプリセットされる。端末デバイスでは、システム情報ウィンドウのサイクル、システム情報ウィンドウの長さ、及びＯＳＩリストは、受信されたＳＩＢ１を使用することによって決定される。特に、システム情報ウィンドウの長さは、通信デバイスによって受信されるＳＩＢ１のｓｉ−ＷｉｎｄｏｗＬｅｎｇｔｈフィールドによって指定される。ＯＳＩリストは、ＳＩＢ１のｓｃｈｅｄｕｌｉｎｇＩｎｆｏＬｉｓｔフィールドによって指定される。システム情報ウィンドウのサイクルは、ＳＩＢ１のｓｉ−Ｐｅｒｉｏｄｉｃｉｔｙフィールドによって指定される。
【０１０５】
システム情報ウィンドウの開始フレームは、式ＳＦＮｍｏｄ（Ｔ）＝ｆｌｏｏｄ（ｘ／ｄ）に従って決定される。ＳＦＮは、システム情報ウィンドウの開始フレームのシステムフレーム番号であり、Ｔは、システム情報ウィンドウのサイクルを表し、ｄは、無線フレーム中のスロットの数量を表し、ｄは通常１０であり、ｘ＝（ｎ−１）＊ｗであり、ｗは、システム情報ウィンドウの長さを表し、ｎは、ＯＳＩリスト中のＯＳＩのシーケンス番号を表す。
【０１０６】
システム情報ウィンドウの開始フレーム中の開始スロットは、式ａ＝ｘｍｏｄ（ｄ）に従って決定され、ａは開始スロットの番号を表す。
【０１０７】
本出願において提供される情報送信方法は、第５世代（５ｔｈ  Ｇｅｎｅｒａｔｉｏｎ、５Ｇ）通信技術のＮＲ通信システム、将来の発展型システム、又は複数の通信がコンバージされるシステムなど、ビームフォーミング技術を使用する様々な通信システムに適用され得る。本出願において提供される技術的解決策は、マシンツーマシン（ｍａｃｈｉｎｅ  ｔｏ  ｍａｃｈｉｎｅ、Ｍ２Ｍ）シナリオ、マクロマイクロ通信シナリオ、拡張モバイルブロードバンド（ｅｎｈａｎｃｅ  ｍｏｂｉｌｅ  ｂｒｏａｄｂａｎｄ、ｅＭＢＢ）シナリオ、超高信頼及び低レイテンシ通信（Ｕｌｔｒａ−Ｒｅｌｉａｂｌｅ  ＆  Ｌｏｗ  Ｌａｔｅｎｃｙ  Ｃｏｍｍｕｎｉｃａｔｉｏｎ、ｕＲＬＬＣ）シナリオ、及び大量マシンタイプ通信（ｍａｓｓｉｖｅ  ｍａｃｈｉｎｅ  ｔｙｐｅ  ｃｏｍｍｕｎｉｃａｔｉｏｎ、ｍＭＴＣ）シナリオなど、複数の適用シナリオに適用され得る。これらのシナリオは、限定されないが、通信デバイス間の通信のシナリオ、ネットワークデバイス間の通信のシナリオ、ネットワークデバイスと通信デバイスとの間の通信のシナリオなどを含み得る。
【０１０８】
図３は、本出願において提供される技術的解決策に適用可能な通信システムの概略図を提供する。通信システム１０は、ネットワークデバイス２０及び通信デバイス３０を含む。
【０１０９】
ネットワークデバイス２０は、ワイヤレス通信における基地局、基地局コントローラなどであり得る。例えば、基地局は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおける基地トランシーバ局（Ｂａｓｅ  Ｔｒａｎｓｃｅｉｖｅｒ  Ｓｔａｔｉｏｎ、ＢＴＳ）であり得るか、又は広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるノードＢ（ＮｏｄｅＢ）であり得るか、又はＬＴＥシステムにおける発展型ノードＢ（ｅｖｏｌｕｔｉｏｎａｌ  Ｎｏｄｅ  Ｂ、ｅＮＢ、又はｅ−ＮｏｄｅＢ）であり得る。代替として、基地局は、モノのインターネット（Ｉｎｔｅｒｎｅｔ  ｏｆ  Ｔｈｉｎｇｓ、ＩｏＴ）又は狭帯域モノのインターネット（Ｎａｒｒｏｗ  Ｂａｎｄ−  Ｉｎｔｅｒｎｅｔ  ｏｆ  Ｔｈｉｎｇｓ、ＮＢ−ＩｏＴ）におけるｅＮＢであり得る。これは、本出願のこの実施形態では特に限定されない。もちろん、ネットワークデバイス２０は、別のネットワーク中のデバイスであってよく、例えば、将来の５Ｇモバイル通信ネットワーク又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中のネットワークデバイスであってよい。
【０１１０】
通信デバイス３０は、音声及び／又はデータ接続性サービスをユーザに提供し、例えば、ユーザ機器（ｕｓｅｒ  ｅｑｕｉｐｍｅｎｔ、ＵＥ）、アクセス端末、端末ユニット、端末局、移動局、リモート局、リモート端末、モバイルデバイス、ワイヤレス通信デバイス、端末エージェント、又は端末装置であり得る。アクセス端末は、セルラーフォン、コードレスフォン、セッション開始プロトコル（ｓｅｓｓｉｏｎ  ｉｎｉｔｉａｔｉｏｎ  ｐｒｏｔｏｃｏｌ、ＳＩＰ）フォン、ワイヤレスローカルループ（ｗｉｒｅｌｅｓｓ  ｌｏｃａｌ  ｌｏｏｐ、ＷＬＬ）局、パーソナルデジタルアシスタント（ｐｅｒｓｏｎａｌ  ｄｉｇｉｔａｌ  ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の通信デバイス、将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中の通信デバイスなどであり得る。これは、本出願のこの実施形態では特に限定されない。
【０１１１】
図４は、本出願の実施形態によるネットワークデバイス２０及び通信デバイス３０のハードウェア構造の概略図である。
【０１１２】
通信デバイス３０は、少なくとも１つのプロセッサ３０１、少なくとも１つのメモリ３０２、及び少なくとも１つのトランシーバ３０３を含む。任意選択で、通信デバイス３０は、出力デバイス３０４及び入力デバイス３０５をさらに含み得る。
【０１１３】
プロセッサ３０１、メモリ３０２、及びトランシーバ３０３は、バスを使用することによって接続される。プロセッサ３０１は、本出願の解決策のプログラム実行を制御するように構成された、汎用中央処理ユニット（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、又は１つ又は複数の集積回路であり得る。プロセッサ３０１は複数のＣＰＵを含んでよく、プロセッサ３０１は、シングルコア（シングルＣＰＵ）プロセッサ又はマルチコア（マルチＣＰＵ）プロセッサであってよい。本明細書のプロセッサは、（コンピュータプログラム命令などの）データを処理するように構成された１つ又は複数のデバイス、回路、又は処理コアであり得る。
【０１１４】
メモリ３０２は、静的情報及び命令を記憶することが可能な読取り専用メモリ（Ｒｅａｄ−Ｏｎｌｙ  Ｍｅｍｏｒｙ、ＲＯＭ）又は別のタイプの静的記憶デバイス、又は情報及び命令を記憶することが可能なランダムアクセスメモリ（Ｒａｎｄｏｍ  Ａｃｃｅｓｓ  Ｍｅｍｏｒｙ、ＲＡＭ）又は別のタイプの動的記憶デバイスであり得るか、又は電気消去可能プログラマブル読取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）又は別のコンパクトディスクストレージ、（コンパクトディスク、レーザーディスク、光ディスク、デジタル多用途ディスク、Ｂｌｕ−ｒａｙディスクなどを含む）光ディスクストレージ、又は磁気ディスク記憶媒体又は別の磁気記憶デバイス、又は命令又はデータ構造形態を有する期待されるプログラムコードを搬送又は記憶することができ、コンピュータによってアクセスされることが可能な任意の他の媒体であり得るが、それらに限定されない。メモリ３０２は、独立して存在し、バスを使用することによってプロセッサ３０１に接続され得る。代替として、メモリ３０２はプロセッサ３０１と一体化され得る。メモリ３０２は、本出願の解決策を実施するために使用されるアプリケーションプログラムコードを記憶するように構成され、実行はプロセッサ３０１によって制御される。プロセッサ３０１は、メモリ３０２に記憶されたコンピュータプログラムコードを実行して、本出願の実施形態における情報送信方法を実装するように構成される。
【０１１５】
トランシーバ３０３は、別のデバイス、又はイーサネット、無線アクセスネットワーク（Ｒａｄｉｏ  Ａｃｃｅｓｓ  Ｎｅｔｗｏｒｋ、ＲＡＮ）、又はワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などの通信ネットワークと通信するために、トランシーバなどの任意の装置を使用し得る。トランシーバ３０３は、送信機Ｔｘ及び受信機Ｒｘを含む。
【０１１６】
出力デバイス３０４は、プロセッサ３０１と通信し、複数の方式で情報を表示し得る。例えば、出力デバイス３０４は、液晶ディスプレイ（Ｌｉｑｕｉｄ  Ｃｒｙｓｔａｌ  Ｄｉｓｐｌａｙ、ＬＣＤ）、発光ダイオード（Ｌｉｇｈｔ  Ｅｍｉｔｔｉｎｇ  Ｄｉｏｄｅ、ＬＥＤ）ディスプレイデバイス、陰極線管（Ｃａｔｈｏｄｅ  Ｒａｙ  Ｔｕｂｅ、ＣＲＴ）ディスプレイデバイス、プロジェクタ（ｐｒｏｊｅｃｔｏｒ）などであり得る。入力デバイス３０５は、プロセッサ３０１と通信し、複数の方式でユーザ入力を受信し得る。例えば、入力デバイス３０５は、マウス、キーボード、タッチスクリーンデバイス、感知デバイスなどであり得る。
【０１１７】
ネットワークデバイス２０は、少なくとも１つのプロセッサ２０１、少なくとも１つのメモリ２０２、少なくとも１つのトランシーバ２０３、及び少なくとも１つのネットワークインターフェース２０４を含む。プロセッサ２０１、メモリ２０２、トランシーバ２０３、及びネットワークインターフェース２０４は、バスを使用することによって接続される。ネットワークインターフェース２０４は、リンク（例えば、Ｓ１インターフェース）を使用することによってコアネットワークデバイスに接続するか、又はワイヤード又はワイヤレスリンク（例えば、Ｘ２インターフェース）を使用することによって（図に示されていない）別のアクセスネットワークデバイスのネットワークインターフェースに接続するように構成される。これは、本出願のこの実施形態では特に限定されない。加えて、プロセッサ２０１、メモリ２０２、及びトランシーバ２０３の関係する説明については、通信デバイス３０中のプロセッサ３０１、メモリ３０２、及びトランシーバ３０３の説明を参照されたい。詳細について本明細書で再び説明されない。
【０１１８】
図５は、本出願の実施形態による情報送信方法を示す。方法は、ネットワークデバイスが通信デバイスにＯＳＩのダウンリンク制御情報を送信するシナリオに適用される。方法は、以下のステップＳ１０１からＳ１０５を含む。
【０１１９】
Ｓ１０１．ネットワークデバイスが、ビームについての情報及びビームとモニタリング機会との間のマッピング関係に基づいて、ビームに対応するモニタリング機会を決定する。
【０１２０】
ビームは、いずれかのセルによって実際に送信されたビームである。ビームについての情報は、ビームのインデックスを含む。任意選択で、ビームのインデックスはＳＳＢのインデックスである。
【０１２１】
モニタリング機会はシステム情報ウィンドウ中にあり、システム情報ウィンドウはＯＳＩのために使用される。
【０１２２】
任意選択で、システム情報ウィンドウ中に含まれるモニタリング機会は第１のモニタリング機会である。
【０１２３】
しかし、第１のモニタリング機会は、アップリンクシンボル、フレキシブルシンボル、又はＳＳＢと衝突することがある。例えば、第１のモニタリング機会中に含まれる全てのシンボルはアップリンクシンボルである。第１のモニタリング機会が、アップリンクシンボル、フレキシブルシンボル、又はＳＳＢと衝突するとき、ネットワークデバイスは、第１のモニタリング機会においてダウンリンク制御情報を送信することができず、従って、通信デバイスは、第１のモニタリング機会においてダウンリンク制御情報を受信することもできない。通信デバイスが、第１のモニタリング機会においてダウンリンク制御情報を依然としてモニタリングした場合、通信デバイスは、ダウンリンク制御情報を明らかに受信することができないが、代わりに、通信デバイスの電力が浪費される。
【０１２４】
従って、効果がない第１のモニタリング機会においてダウンリンク制御情報を通信デバイスがモニタリングするのを防ぎ、通信デバイスの電力消費量を低減するために、本出願のこの実施形態では、第２のモニタリング機会は、プリセット条件を満たす第１のモニタリング機会である。プリセット条件は、第１のモニタリング機会がアップリンクシンボル、フレキシブルシンボル、又はＳＳＢと衝突しない、ということである。
【０１２５】
システム情報ウィンドウ中に含まれるモニタリング機会が特に第１のモニタリング機会であるか第２のモニタリング機会であるかは、ネットワークデバイスと通信デバイスとの間のネゴシエーションを通して決定されるか、又はプリセットを通して決定されることに留意されたい。
【０１２６】
任意選択で、プリセット条件は、以下の少なくとも１つ又は任意の組み合わせを含む。
【０１２７】
（１）第１のモニタリング機会における全てのシンボルがダウンリンクシンボルである。
【０１２８】
（２）第１のモニタリング機会における全てのシンボルがフレキシブルシンボルである。
【０１２９】
（３）第１のモニタリング機会における全てのシンボルがフレキシブルシンボル又はダウンリンクシンボルである。
【０１３０】
（４）第１のモニタリング機会におけるダウンリンクシンボルの数量がプリセット数量よりも大きい。プリセット数量は、上位レイヤによって構成されるか又は予め定義されることに留意されたい。任意選択で、ネットワークデバイスは、通信デバイスに通知メッセージを送信し、それにより、通信デバイスは、プリセット数量の特定の値について知る。
【０１３１】
（５）第１のモニタリング機会におけるフレキシブルシンボルの数量がプリセット数量よりも大きい。
【０１３２】
（６）第１のモニタリング機会におけるダウンリンクシンボル及びフレキシブルシンボルの総数量がプリセット数量よりも大きい。
【０１３３】
（７）第１のモニタリング機会におけるフレキシブルシンボルが、ダウンリンク制御情報を送信する間にダウンリンクシンボルに変更されるように設定される。ネットワークデバイスは、通信デバイスに通知メッセージを送信し、それにより、通信デバイスは、ダウンリンク制御情報を送信している間に第１のモニタリング機会におけるフレキシブルシンボルがダウンリンクシンボルに変更されるように設定されているかどうかを知ることに留意されたい。
【０１３４】
（８）第１のモニタリング機会においてＳＳＢが搬送されない。ＳＳＢは、プライマリ同期信号、セカンダリ同期信号、及び物理ブロードキャストチャネルを含み、物理ブロードキャストチャネルは、ＳＳＢのインデックス及びＭＩＢなどの情報を搬送することに留意されたい。ＳＳＢはビームスイーピング方式で送信され、ＳＳＢを送信するための各ビームはＳＳＢビームであり、ＳＳＢのインデックスは、対応するビームのインデックスである。ダウンリンク共通チャネルを搬送するためのビームとＳＳＢビームは、擬似コロケーション（ｑｕａｓｉ−ｃｏｌｏｃａｔｉｏｎ、ＱＣＬ）関係を有する。言い換えれば、ダウンリンク共通チャネルを搬送するためのビームはまた、ＳＳＢビームのインデックスを使用する。
【０１３５】
以下で、例を用いて上記のプリセット条件（１）から（８）の実装のケースについて説明する。
【０１３６】
例えば、第１のモニタリング機会における全てのシンボルがダウンリンクシンボルであるが、ＳＳＢが第１のモニタリング機会において搬送される必要がある場合、第１のモニタリング機会は第２のモニタリング機会でない。
【０１３７】
別の例では、第１のモニタリング機会におけるフレキシブルシンボルの数量がプリセット数量よりも大きいが、第１のモニタリング機会におけるフレキシブルシンボルが、ダウンリンク制御情報を送信している間にダウンリンクシンボルに変更されるように設定されていない場合、第１のモニタリング機会は第２のモニタリング機会でない。
【０１３８】
別の例では、第１のモニタリング機会におけるダウンリンクシンボル及びフレキシブルシンボルの総数量がプリセット数量よりも大きく、第１のモニタリング機会におけるフレキシブルシンボルが、ダウンリンク制御情報を送信している間にダウンリンクシンボルに変更されるように設定されている場合、第１のモニタリング機会は第２のモニタリング機会である。
【０１３９】
本出願のこの実施形態では、ビームとモニタリング機会との間のマッピング関係は、ビームとモニタリング機会との間の１対１の対応関係又は１対多の対応関係である。
【０１４０】
加えて、セル中の各ビームがシステム情報ウィンドウ中の１つ又は複数のモニタリング機会に対応することを保証するために、システム情報ウィンドウ中に含まれるモニタリング機会の総数量は、セルによって実際に送信されたビームの総数量よりも大きくなるように設定され得る。
【０１４１】
例えば、ビームとモニタリング機会との間のマッピング関係は、ビームのインデックスとモニタリング機会の番号との間の差がプリセット値に等しいことである。任意選択で、プリセット値は、セルによって実際に送信されたビームの総数量の整数倍を含む。
【０１４２】
別の例では、ビームとモニタリング機会との間のマッピング関係は、インデックスがｉであるビームが、番号がｉ＊ｍから（ｉ＋１）＊ｍ−１であるｍ個のモニタリング機会に対応することであり、ｍ＝ｆｌｏｏｒ（Ｍ／Ｎ）であり、ｆｌｏｏｒは切り捨てを表し、Ｍは、システム情報ウィンドウ中に含まれるモニタリング機会の総数量を表し、Ｎは、セルによって実際に送信されたビームの総数量を表す。
【０１４３】
任意選択で、ビームとモニタリング機会との間のマッピング関係は、リスト又は式の形態で実装されてよい。もちろん、ビームとモニタリング機会との間の対応関係は、代替として別の形態で実装されてよく、これは、本出願のこの実施形態では限定されない。
【０１４４】
例えば、表２は、ビームとモニタリング機会との間のマッピング関係の例を示している。
【０１４５】
【表２】
2021528013.tif 000008
【０１４６】
例えば、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。
【０１４７】
システム情報ウィンドウ中のモニタリング機会に番号付けするためのルールは、システム情報ウィンドウ中のモニタリング機会が、システム情報ウィンドウ中の１番目のモニタリング機会から開始して０から連続的に番号付けされることであることに留意されたい。
【０１４８】
特に、システム情報ウィンドウ中に含まれるモニタリング機会が第１のモニタリング機会であるとき、システム情報ウィンドウ中の第１のモニタリング機会は、システム情報ウィンドウ中の１番目の第１のモニタリング機会から開始して０から連続的に番号付けされる。システム情報ウィンドウ中に含まれるモニタリング機会が第２のモニタリング機会であるとき、システム情報ウィンドウ中の第２のモニタリング機会は、システム情報ウィンドウ中の１番目の第２のモニタリング機会から開始して０から連続的に番号付けされることである。
【０１４９】
例えば、システム情報ウィンドウが、モニタリング機会ａ、モニタリング機会ｂ、モニタリング機会ｃ、及びモニタリング機会ｄを連続的に含み、モニタリング機会ａ及びモニタリング機会ｄが第２のモニタリング機会であると仮定される。システム情報ウィンドウ中に含まれるモニタリング機会が第１のモニタリング機会であるとき、モニタリング機会ａは０に番号付けされ、モニタリング機会ｂは１に番号付けされ、モニタリング機会ｃは２に番号付けされ、モニタリング機会ｄは３に番号付けされる。システム情報ウィンドウ中に含まれるモニタリング機会が第２のモニタリング機会であるとき、モニタリング機会ａは０に番号付けされ、モニタリング機会ｄは１に番号付けされる。
【０１５０】
Ｓ１０２．ネットワークデバイスが、ビームに対応するモニタリング機会におけるビームを使用することによってダウンリンク制御情報を送信する。
【０１５１】
ダウンリンク制御情報は、ＯＳＩを搬送するためのＰＤＳＣＨの時間周波数情報を示すために使用される。ダウンリンク制御情報はＰＤＣＣＨ中で搬送される。
【０１５２】
例えば、表２を参照しながら説明が与えられる。ネットワークデバイスは、インデックスが０であるビームを使用することによって、システム情報ウィンドウ中の０及び１に番号付けされたモニタリング機会においてダウンリンク制御情報を送信する。ネットワークデバイスは、インデックスが１であるビームを使用することによって、システム情報ウィンドウ中の２及び３に番号付けされたモニタリング機会においてダウンリンク制御情報を送信する。アナロジーによって、ネットワークデバイスは、インデックスがＮ−１であるビームを使用することによって、システム情報ウィンドウ中の２Ｎ−２及び２Ｎ−１に番号付けされたモニタリング機会においてダウンリンク制御情報を送信する。
【０１５３】
Ｓ１０３．通信デバイスが、ターゲットビームについての情報を決定する。
【０１５４】
ターゲットビームについての情報は、ターゲットビームのインデックスを含む。
【０１５５】
ターゲットビームは、セルによって実際に送信されたビーム中の、特定の条件を満たすビームである。例えば、ターゲットビームの信号強度がプリセット値よりも大きいか、或いは、ターゲットビームの信号強度が、高から低への信号強度ランキングに関して、プリセット位置よりも高くランキングされる。
【０１５６】
ターゲットビームの信号強度がプリセット値よりも大きいか、又はターゲットビームの信号強度がプリセット位置よりも高くランキングされることは、通信デバイスがターゲットビームのカバレージエリア内にあることを示し、従って、通信デバイスは、ターゲットビームを使用することによってネットワークデバイスによって配信された情報を受信することができることが理解できよう。
【０１５７】
任意選択の実装では、通信デバイスは、ビームの信号強度を検出して、ターゲットビームを決定し、ターゲットビームについての情報をさらに決定する。
【０１５８】
ターゲットビームの数量は、本出願のこの実施形態では限定されず、即ち、通信デバイスは、ターゲットビームとして複数の異なるビームを決定し得ることに留意されたい。
【０１５９】
Ｓ１０４．通信デバイスが、ターゲットビームについての情報及びビームとモニタリング機会との間のマッピング関係に基づいてターゲットモニタリング機会を決定する。
【０１６０】
ターゲットモニタリング機会はシステム情報ウィンドウ中にあり、ターゲットモニタリング機会はターゲットビームに対応する。
【０１６１】
ステップＳ１０４はステップＳ１０１と同様である。関係する説明については、ステップＳ１０１を参照されたい。本出願のこの実施形態では、詳細について本明細書で再び説明されない。
【０１６２】
Ｓ１０５．通信デバイスが、ターゲットモニタリング機会においてダウンリンク制御情報をモニタリングする。
【０１６３】
任意選択で、システム情報ウィンドウ中に含まれるモニタリング機会が第１のモニタリング機会である場合、ターゲットビームに対応する第１のモニタリング機会を決定した後に、通信デバイスは、ターゲットビームに対応する第１のモニタリング機会がプリセット条件を満たすかどうかを決定する（即ち、ターゲットビームに対応する第１のモニタリング機会が第２のモニタリング機会であるかどうかを決定する）。ターゲットビームに対応する第１のモニタリング機会がプリセット条件を満たす場合、通信デバイスは、第１のモニタリング機会に基づいてダウンリンク制御情報をモニタリングする。ターゲットビームに対応する第１のモニタリング機会がプリセット条件を満たさない場合、通信デバイスは、通信デバイスの電力消費量を低減するために、第１のモニタリング機会においてダウンリンク制御情報をモニタリングしない。
【０１６４】
任意選択で、システム情報ウィンドウ中に含まれるモニタリング機会が第２のモニタリング機会である場合、通信デバイスは、ターゲットモニタリング機会においてダウンリンク制御情報をモニタリングする。
【０１６５】
本出願のこの実施形態において提供される情報送信方法によれば、通信デバイスは、ターゲットビームについての情報、及びビームとモニタリング機会との間の対応関係に基づいてターゲットモニタリング機会を決定し、従って、通信デバイスは、ターゲットモニタリング機会においてのみダウンリンク制御情報をモニタリングする。このようにして、通信デバイスは、システム情報ウィンドウ中の各モニタリング機会におけるダウンリンク制御情報をモニタリングする必要がなく、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【０１６６】
上記のステップＳ１０１の行為は、図４に示されているネットワークデバイス中のプロセッサ２０１によって、メモリ２０２に記憶されたアプリケーションプログラムコードを呼び出すことによって実施され得る。上記のステップＳ１０２の行為は、図４に示されているネットワークデバイス中の通信インターフェース２０３によって実施され得る。上記のステップＳ１０３及びＳ１０４の行為は、図４に示されている通信デバイス中のプロセッサ３０１によって、メモリ３０２に記憶されたアプリケーションプログラムコードを呼び出すことによって実施され得る。上記のステップＳ１０５の行為は、図４に示されている通信デバイス中の通信インターフェース３０３によって実施され得る。これは、本出願のこの実施形態では限定されない。
【０１６７】
現在、通信デバイスは、ページング機会中に含まれるモニタリング機会においてダウンリンク制御情報をモニタリングし、それにより、通信デバイスは、ダウンリンク制御情報に基づいてページング情報を取得する。しかし、現在の規格によって定義されたモニタリング機会は、アップリンクシンボル、フレキシブルシンボル、又はＳＳＢと衝突することがある。例えば、モニタリング機会中に含まれる全てのシンボルはアップリンクシンボルである。この場合、結果的に、ネットワークデバイスは、モニタリング機会においてダウンリンク制御情報を送信することができず、さらに、通信デバイスは、ページング情報を取得することができず、通信デバイスの通常の使用に影響が及ぶ。
【０１６８】
ネットワークデバイスが、ページング機会中に含まれるモニタリング機会においてダウンリンク制御情報を正常に送信することができることを保証するために、及びそれに応じて、通信デバイスがページング情報を正常に取得することができることを保証するために、本出願の実施形態は情報送信方法を提供する。図６に示されているように、方法は以下のステップＳ２０１からＳ２０７を含む。
【０１６９】
Ｓ２０１．ネットワークデバイスが、通信デバイスに対応するページング機会を決定する。
【０１７０】
ページング機会は複数のモニタリング機会を含み、モニタリング機会はプリセット条件を満たす。プリセット条件は、モニタリング機会がアップリンクシンボル、フレキシブルシンボル、又はＳＳＢと衝突しない、ということである。
【０１７１】
任意選択で、プリセット条件は、以下の少なくとも１つ又は任意の組み合わせを含む。
【０１７２】
（１）モニタリング機会における全てのシンボルがダウンリンクシンボルである。
【０１７３】
（２）モニタリング機会における全てのシンボルがフレキシブルシンボルである。
【０１７４】
（３）モニタリング機会における全てのシンボルがフレキシブルシンボル又はダウンリンクシンボルである。
【０１７５】
（４）モニタリング機会におけるダウンリンクシンボルの数量がプリセット数量よりも大きい。プリセット数量は、上位レイヤによって構成されるか又は予め定義されることに留意されたい。任意選択で、ネットワークデバイスは、通信デバイスに通知メッセージを送信し、それにより、通信デバイスは、プリセット数量の特定の値について知る。
【０１７６】
（５）モニタリング機会におけるフレキシブルシンボルの数量がプリセット数量よりも大きい。
【０１７７】
（６）モニタリング機会におけるダウンリンクシンボル及びフレキシブルシンボルの総数量がプリセット数量よりも大きい。
【０１７８】
（７）モニタリング機会におけるフレキシブルシンボルが、ダウンリンク制御情報を送信する間にダウンリンクシンボルに変更されるように設定される。ネットワークデバイスは、通信デバイスに通知メッセージを送信し、それにより、通信デバイスは、ダウンリンク制御情報を送信している間に第１のモニタリング機会におけるフレキシブルシンボルがダウンリンクシンボルに変更されるように設定されているかどうかを知ることに留意されたい。
【０１７９】
（８）モニタリング機会においてＳＳＢが搬送されない。
【０１８０】
通信デバイスに対応するページング機会は、ページングフレームのシステムフレーム番号及びページング機会の番号に基づいて決定されることに留意されたい。
【０１８１】
ページングフレームのシステムフレーム番号は、式ｍｏｄ（ＳＦＮ＋オフセット，Ｔ）＝（Ｔ  ｄｉｖ  Ｎ）＊ｍｏｄ（ＵＥ＿ＩＤ，Ｎ）に従って決定される。ＳＦＮは、ページングフレームのシステムフレーム番号であり、オフセットは、システムフレーム番号のオフセット値を表し、Ｔは、通信デバイスのページングサイクルを表し、ＵＥ＿ＩＤは、通信デバイスの識別子を表す。実際の適用例では、ＵＥ＿ＩＤ＝ｍｏｄ（ＩＭＳＩ，１０２４）であり、国際モバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩ）は、モバイルユーザを識別するためのフラグであり、ｄｉｖは正確な除算を表し、Ｎ＝ｍｉｎ（Ｔ，ｎＢ）であり、ｎＢはプリセット定数であり、ｎＢの値セットは、｛４Ｔ，２Ｔ，Ｔ，Ｔ／２，Ｔ／４，Ｔ／８，Ｔ／１６｝である。
【０１８２】
ページング機会の番号は、式ｉ＿ｓ＝ｆｌｏｏｒ（ＵＥ＿ＩＤ／Ｎ）  ｍｏｄ  Ｎsに従って決定され、ｉ＿ｓはページング機会の番号を表し、ｆｌｏｏｒ（）は切り捨てを表し、Ｎs＝ｍａｘ（１，ｎＢ／Ｔ）である。ｉ＿ｓの値セットは｛０，１，２，３｝であることに留意されたい。
【０１８３】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【０１８４】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【０１８５】
Ｓ２０２．ネットワークデバイスが、ビームについての情報及びビームとモニタリング機会との間のマッピング関係に基づいて、ビームに対応するモニタリング機会を決定する。
【０１８６】
ビームについての情報は、ビームのインデックスを含む。ビームは、いずれかのセルによって実際に送信されたビームである。
【０１８７】
本出願のこの実施形態では、ビームとモニタリング機会との間のマッピング関係は、ビームとモニタリング機会との間の１対１の対応関係である。
【０１８８】
例えば、ビームとモニタリング機会との間のマッピング関係は、ビームのインデックスとモニタリング機会の番号との間の差がプリセット値に等しいことである。任意選択で、プリセット値は、セルによって実際に送信されたビームの総数量の整数倍を含む。
【０１８９】
任意選択で、ビームとモニタリング機会との間のマッピング関係は、リスト又は式の形態で実装されてよい。もちろん、ビームとモニタリング機会との間の対応関係は、代替として別の形態で実装されてよく、これは、本出願のこの実施形態では限定されない。
【０１９０】
例えば、表３は、ビームとモニタリング機会との間のマッピング関係の例を示している。
【０１９１】
【表３】
2021528013.tif 000009
【０１９２】
例えば、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。
【０１９３】
Ｓ２０３．ネットワークデバイスが、ビームに対応するモニタリング機会におけるビームを使用することによってダウンリンク制御情報を送信する。
【０１９４】
ダウンリンク制御情報はＰＤＣＣＨ中で搬送される。ダウンリンク制御情報は、ページング情報を搬送するためのＰＤＳＣＨの時間周波数情報を示すために使用される。
【０１９５】
例えば、表３を参照しながら説明が与えられる。ネットワークデバイスは、インデックスが０であるビームを使用することによって、０に番号付けされたモニタリング機会においてダウンリンク制御情報を送信する。ネットワークデバイスは、インデックスが１であるビームを使用することによって、１に番号付けされたモニタリング機会においてダウンリンク制御情報を送信する。アナロジーによって、ネットワークデバイスは、インデックスがＮ−１であるビームを使用することによって、Ｎ−１に番号付けされたモニタリング機会においてダウンリンク制御情報を送信する。
【０１９６】
Ｓ２０４．通信デバイスが、通信デバイスに対応するページング機会を決定する。
【０１９７】
ステップＳ２０１はステップＳ２０４と同様である。関係する説明については、ステップＳ２０４を参照されたい。本出願のこの実施形態では、詳細について本明細書で再び説明されない。
【０１９８】
Ｓ２０５．通信デバイスが、ターゲットビームについての情報を決定する。
【０１９９】
ターゲットビームについての情報は、ターゲットビームのインデックスを含む。
【０２００】
ターゲットビームは、セルによって実際に送信されたビーム中の、特定の条件を満たすビームである。例えば、ターゲットビームの信号強度がプリセット値よりも大きいか、又は、ターゲットビームの信号強度が、高から低へのビームの信号強度ランキングに関して、プリセット位置よりも高くランキングされる。
【０２０１】
ターゲットビームの信号強度がプリセット値よりも大きいか、又は、ターゲットビームの信号強度がプリセット位置よりも高くランキングされることは、通信デバイスがターゲットビームのカバレージエリア内にあることを示し、従って、通信デバイスは、ターゲットビームを使用することによってネットワークデバイスによって配信された情報を受信することができることが理解できよう。
【０２０２】
任意選択の実装では、通信デバイスは、ビームの信号強度を検出して、ターゲットビームを決定し、ターゲットビームについての情報をさらに決定する。
【０２０３】
ターゲットビームの数量は、本出願のこの実施形態では限定されず、即ち、通信デバイスは、ターゲットビームとして複数の異なるビームを決定し得ることに留意されたい。
【０２０４】
Ｓ２０６．通信デバイスが、ターゲットビームについての情報、及びビームとモニタリング機会との間のマッピング関係に基づいて、ターゲットモニタリング機会を決定する。
【０２０５】
ターゲットモニタリング機会はターゲットビームに対応する。
【０２０６】
ステップＳ２０６はステップＳ２０２と同様である。関係する説明については、ステップＳ２０２を参照されたい。本出願のこの実施形態では、詳細について本明細書で再び説明されない。
【０２０７】
Ｓ２０７．通信デバイスが、ターゲットモニタリング機会においてダウンリンク制御情報をモニタリングする。
【０２０８】
例えば、表３を参照しながら説明が与えられる。通信デバイスが、ターゲットビームのインデックスが０であると決定した場合、通信デバイスは、０に番号付けされたモニタリング機会においてダウンリンク制御情報をモニタリングする。通信デバイスが、ターゲットビームのインデックスが１であると決定した場合、通信デバイスは、１に番号付けされたモニタリング機会においてダウンリンク制御情報をモニタリングする。アナロジーによって、通信デバイスが、ターゲットビームのインデックスがＮ−１であると決定した場合、通信デバイスは、Ｎ−１に番号付けされたモニタリング機会においてダウンリンク制御情報をモニタリングする。
【０２０９】
本出願のこの実施形態において提供される情報送信方法によれば、ネットワークデバイスは、通信デバイスに対応するページング機会を決定し、ページング機会は複数のモニタリング機会を含み、これらのモニタリング機会はプリセット条件を満たし、それにより、モニタリング機会がアップリンクシンボル、フレキシブルシンボル、又はＳＳＢと衝突しないことが保証される。これは、ネットワークデバイスが、ページング機会中に含まれるモニタリング機会においてダウンリンク制御情報を正常に送信することができることを保証し、それにより、通信デバイスがページング情報を正常に取得することができることを保証する。
【０２１０】
上記のステップＳ２０１及びＳ２０２の行為は、図４に示されているネットワークデバイス中のプロセッサ２０１によって、メモリ２０２に記憶されたアプリケーションプログラムコードを呼び出すことによって実施され得る。上記のステップＳ２０３の行為は、図４に示されているネットワークデバイス中の通信インターフェース２０３によって実施され得る。上記のステップＳ２０４からＳ２０６の行為は、図４に示されている通信デバイス中のプロセッサ３０１によって、メモリ３０２に記憶されたアプリケーションプログラムコードを呼び出すことによって実施され得る。上記のステップＳ２０７の行為は、図４に示されている通信デバイス中の通信インターフェース３０３によって実施され得る。これは、本出願のこの実施形態では限定されない。
【０２１１】
本出願の実施形態において提供される解決策は、上記では通信デバイスとネットワークデバイスとの間の対話の観点から主に説明された。上記の機能を実装するために、通信デバイス及びネットワークデバイスは、機能を実施するための対応するハードウェア構造及び／又はソフトウェアモジュールを含むことが理解されよう。当業者は、本明細書で開示される実施形態において説明される例との関連において、ユニット及びアルゴリズムステップが、本出願ではハードウェア又はハードウェアとコンピュータソフトウェアの組み合わせによって実装され得ることに容易に気づいているはずである。機能が、ハードウェアによって実施されるか、又はコンピュータソフトウェアによって駆動されるハードウェアによって実施されるかは、技術的解決策の特定の適用例及び設計制約に依存する。当業者は、特定の適用例ごとに説明される機能を実装するために異なる方法を使用してよいが、その実装が本出願の範囲を越えると考えられるべきではない。
【０２１２】
本出願の実施形態では、通信デバイス及びネットワークデバイスはそれぞれ、上記の方法例に基づいて分割されてよく、例えば、対応する機能に基づいてモジュール又はユニットに分割されてよいか、又は２つ以上の機能が１つの処理モジュールへと統合されてよい。上記の統合されたモジュールは、ハードウェアの形態で実装され得るか、又はソフトウェアモジュール又はユニットの形態で実装され得る。本出願のこの実施形態では、モジュール又はユニット分割は例として使用され、論理的機能分割にすぎない。実際の実装では、別の分割方式が使用されてよい。
【０２１３】
例えば、機能モジュールが機能に基づいて分割されたとき、図７は、上記の実施形態におけるネットワークデバイスの可能な概略構造図である。図７に示されているように、ネットワークデバイスは、処理モジュール７０１及び送信モジュール７０２を含む。処理モジュール７０１は、図５のステップＳ１０１、図６のステップＳ２０１及びＳ２０２、及び／又は本明細書において説明される技術の他の処理を実施する際にネットワークデバイスをサポートするように構成される。送信モジュール７０２は、図５のステップＳ１０２、図６のステップＳ２０３、及び／又は本明細書において説明される技術の他の処理を実施する際にネットワークデバイスをサポートするように構成される。
【０２１４】
本出願のこの実施形態では、装置は、機能に基づく機能モジュールの分割によって提示されるか、又は装置は、統合方式における機能モジュールの分割によって提示される。本明細書における「モジュール」は、１つ又は複数のソフトウェア又はファームウェアプログラムを実行するための特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、回路、プロセッサ及びメモリ、上記の機能を提供することが可能な集積論理回路又は別のデバイスを含み得る。単純な実施形態では、当業者は、ネットワークデバイスが、実装のために図４に示されているネットワークデバイスを使用し得ることを理解されよう。例えば、図７の送信モジュール７０２は図４の通信インターフェース２０３によって実装されてよく、処理モジュール７０１は図４のプロセッサ２０１によって実装されてよい。これは、本出願のこの実施形態では限定されない。
【０２１５】
図８は、ネットワークデバイスの別の実装を示す。ネットワークデバイスは、プロセッサ８０１、アプリケーションプロセッサ、メモリ、ユーザインターフェース、入力／出力インターフェース、無線トランシーバ８０２、及び（図に示されていない電源などのデバイスを含む）いくつかの他の構成要素を含む。図８において、プロセッサ８０１は、上記の処理モジュール７０１の機能を実装し、無線トランシーバ８０２は、上記の送信モジュール７０２の機能を実装する。図に示されている構成要素は、例として使用されているにすぎず、この実施形態の実装のために必要な構成要素ではなく、例えば、入力／出力インターフェースは、独立した構成要素の形態で存在する代わりに、回路に統合されてよいことが理解されよう。
【０２１６】
図９は、ネットワークデバイスの別の実装を示す。ネットワークデバイスは、データ送信プロセッサ９０１、プロセッサ９０２、及びデータ受信プロセッサ９０３を含む。図９において、データ送信プロセッサ９０１は、上記の送信モジュール７０２の機能を実装し、プロセッサ９０２は、上記の処理モジュール７０１の機能を実装する。図９はチャネルエンコーダ及びチャネルデコーダを示しているが、これらのモジュールは、この実施形態の限定的な説明とはならず、例として使用されているにすぎないことが理解されよう。
【０２１７】
図１０は、ネットワークデバイスの別の実装を示す。処理装置１０００は、変調サブシステム、中央処理サブシステム、及び周辺サブシステムなどのモジュールを含む。この実施形態におけるネットワークデバイスは、それの変調サブシステムとして使用され得る。特に、変調サブシステムは、プロセッサ１００１及びインターフェース１００３を含み得る。プロセッサ１００１は、上記の処理ユニット７０１の機能を実装し、インターフェース１００３は、上記の送信モジュール７０２の機能を実装する。変形態として、変調サブシステムは、メモリ１００２と、プロセッサ１００１と、メモリに記憶され、プロセッサ上で実行されることが可能なプログラムとを含む。プロセッサがプログラムを実行したとき、情報送信方法が実装される。メモリ１００２は不揮発性又は揮発性であってよく、メモリ１００２がプロセッサ１００１に接続されることが可能であるとすれば、変調サブシステム中に配置されても処理装置１０００中に配置されてもよいことに留意されたい。
【０２１８】
この実施形態において提供されるネットワークデバイスは上記の情報送信方法を実施することができるので、それの達成されることが可能な技術的効果については、上記の方法実施形態への参照が行われてよい。詳細について本明細書で再び説明されない。
【０２１９】
本出願の実施形態は、コンピュータ可読記憶媒体をさらに提供し、コンピュータ可読記憶媒体は命令を記憶する。コンピュータ可読記憶媒体がネットワークデバイス上で実行されたとき、ネットワークデバイスは、本出願の実施形態では図５及び図６に示されている情報送信方法を実施することが可能である。
【０２２０】
任意選択で、本出願の実施形態は、チップシステムを提供し、チップシステムは、図５及び図６に示されている情報送信方法を実装する際にネットワークデバイスをサポートするように構成されたプロセッサを含む。可能な設計では、チップシステムはメモリをさらに含む。メモリは、ネットワークデバイスのために必要であるプログラム命令及びデータを記憶するように構成される。もちろん、メモリはチップシステム中になくてもよい。チップシステムは、チップを含み得るか、又はチップ及び別の個別デバイスを含み得る。これは、本出願のこの実施形態では特に限定されない。
【０２２１】
例えば、機能モジュールが機能に基づいて分割されたとき、図１１は、上記の実施形態における通信デバイスの可能な概略構造図である。図１１に示されているように、通信デバイスは、処理モジュール１１０１及び受信モジュール１１０２を含む。処理モジュール１１０１は、図５のステップＳ１０３及びＳ１０４、図６のステップＳ２０４からＳ２０６、及び／又は本明細書において説明される技術の他の処理を実施する際に通信デバイスをサポートするように構成される。受信モジュール１１０２は、図５のステップＳ１０５、図６のステップＳ２０７、及び／又は本明細書において説明される技術の他の処理を実施する際に通信デバイスをサポートするように構成される。
【０２２２】
本出願のこの実施形態では、装置は、機能に基づく機能モジュールの分割によって提示されるか、又は装置は、統合方式における機能モジュールの分割によって提示される。本明細書における「モジュール」は、１つ又は複数のソフトウェア又はファームウェアプログラムを実行するための特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、回路、プロセッサ及びメモリ、上記の機能を提供することが可能な集積論理回路又は別のデバイスを含み得る。単純な実施形態では、当業者は、通信デバイスが、図４に示されている通信デバイスを使用することによって実装され得ることを理解されよう。例えば、図１１の受信モジュール１１０２は図４の通信インターフェース３０３によって実装されてよく、処理モジュール１１０１は図４のプロセッサ３０１によって実装されてよい。これは、本出願のこの実施形態では限定されない。
【０２２３】
図１２は、通信デバイスの別の実装を示す。通信デバイスは、プロセッサ１２０１、アプリケーションプロセッサ、メモリ、ユーザインターフェース、カメラ、入力／出力インターフェース、無線トランシーバ１２０２、及び（図に示されていない電源などのデバイスを含む）いくつかの他の構成要素を含む。図１２において、プロセッサ１２０１は、上記の処理モジュール１１０１の機能を実装し、無線トランシーバ１２０２は、上記の受信モジュール１１０２の機能を実装する。図に示されている構成要素は、例として使用されているにすぎず、この実施形態の実装のために必要な構成要素ではなく、例えば、カメラは省略されてよく、入力／出力インターフェースは、独立した構成要素の形態で存在する代わりに、回路に統合されてよいことが理解されよう。
【０２２４】
図１３は、通信デバイスの別の実装を示す。通信デバイスは、データ送信プロセッサ１３０１、プロセッサ１３０２、及びデータ受信プロセッサ１３０３を含む。図１３において、プロセッサ１３０２は、上記の処理モジュール１１０１の機能を実装し、データ受信プロセッサ１３０３は、上記の受信モジュール１１０２の機能を実装する。図１３はチャネルエンコーダ及びチャネルデコーダを示しているが、これらのモジュールは、この実施形態の限定的な説明とはならず、例として使用されているにすぎないことが理解されよう。
【０２２５】
図１４は、通信デバイスの別の実装を示す。処理装置１４００は、変調サブシステム、中央処理サブシステム、及び周辺サブシステムなどのモジュールを含む。この実施形態における通信デバイスは、それの変調サブシステムとして使用され得る。特に、変調サブシステムは、プロセッサ１４０１及びインターフェース１４０３を含み得る。プロセッサ１４０１は、上記の処理ユニット１１０１の機能を実装し、インターフェース１４０３は、上記の受信モジュール１１０２の機能を実装する。別の変形態として、変調サブシステムは、メモリ１４０２と、プロセッサ１４０１と、メモリに記憶され、プロセッサ上で実行されることが可能なプログラムとを含む。プロセッサがプログラムを実行したとき、情報送信方法が実装される。メモリ１４０２は不揮発性又は揮発性であってよく、メモリ１４０２がプロセッサ１４０１に接続されることが可能であるとすれば、変調サブシステム中に配置されても処理装置１４００中に配置されてもよいことに留意されたい。
【０２２６】
この実施形態において提供される通信デバイスは上記の情報送信方法を実施することができるので、それの達成されることが可能な技術的効果については、上記の方法実施形態への参照が行われてよい。詳細について本明細書で再び説明されない。
【０２２７】
本出願の実施形態は、コンピュータ可読記憶媒体をさらに提供し、コンピュータ可読記憶媒体は命令を記憶する。コンピュータ可読記憶媒体が通信デバイス上で実行されたとき、通信デバイスは、本出願の実施形態では図５及び図６に示されている情報送信方法を実施することが可能である。
【０２２８】
任意選択で、本出願の実施形態は、チップシステムを提供し、チップシステムは、図５及び図６に示されている方法を実装する際に通信デバイスをサポートするように構成されたプロセッサを含む。可能な設計では、チップシステムはメモリをさらに含む。メモリは、通信デバイスのために必要であるプログラム命令及びデータを記憶するように構成される。もちろん、メモリはチップシステム中になくてもよい。チップシステムは、チップを含み得るか、又はチップ及び別の個別デバイスを含み得る。これは、本出願のこの実施形態では特に限定されない。
【０２２９】
上記の実施形態の全部又は一部は、ソフトウェア、ハードウェア、ファームウェア、又はそれらの任意の組み合わせによって実装され得る。実施形態を実装するためにソフトウェアプログラムが使用されるとき、実施形態は、完全に又は部分的にコンピュータプログラム製品の形態で実装され得る。コンピュータプログラム製品は１つ又は複数のコンピュータ命令を含む。コンピュータプログラム命令がコンピュータ上にロードされ、実行されたとき、本出願の実施形態による手順又は機能が全て又は部分的に生成される。コンピュータは、汎用コンピュータ、専用コンピュータ、コンピュータネットワーク、又は別のプログラマブル装置であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ワイヤード（例えば、同軸ケーブル、光ファイバー、又はデジタル加入者線（ｄｉｇｉｔａｌ  ｓｕｂｓｃｒｉｂｅｒ  ｌｉｎｅ、ＤＳＬ））又はワイヤレス（例えば、赤外線、無線、又はマイクロ波）方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体であるか、又は１つ又は複数の使用可能な媒体を組み込んでいるサーバ又はデータセンターなどのデータ記憶デバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（ｓｏｌｉｄ  ｓｔａｔｅ  ｄｉｓｋ、ＳＳＤ））などであり得る。
【０２３０】
本出願について実施形態に関して説明されたが、保護を請求する本出願を実装する工程では、当業者は、添付の図面、開示された内容、及び添付の特許請求の範囲を閲覧することによって、開示された実施形態の別の変形を理解し、実装してよい。特許請求の範囲において、「備える」（ｃｏｍｐｒｉｓｉｎｇ）は別の構成要素又は別のステップを除外せず、「ａ」又は「ｏｎｅ」は複数のケースを除外しない。単一のプロセッサ又は別のユニットは、特許請求の範囲において列挙されたいくつかの機能を実装し得る。いくつかの方策が、互いに異なる従属請求項に記録されるが、これは、より良い効果を奏するためにこれらの方策が組み合わされることが不可能であることを意味しない。
【０２３１】
本出願についてそれの特定の特徴及び実施形態に関して説明されたが、明らかに、それらには、本出願の趣旨及び範囲から逸脱することなく、様々な変更及び組み合わせが行われてよい。対応して、本明細書及び添付の図面は、添付の特許請求の範囲によって定義される本出願の例示的な説明にすぎず、本出願の範囲を包含するいずれか又は全ての変更、変形、組み合わせ又は均等物として見なされる。明らかに、当業者は、本出願の趣旨及び範囲から逸脱することなく本出願に様々な変更及び変形を行うことができる。本出願は、本出願の以下の特許請求の範囲によって定義される保護の範囲及びそれらの等価な技術内に本出願のこれらの変更及び変形が入るとすれば、それらを包含することを意図されている。
【図１】
2021528013.tif 000010
【図２】
2021528013.tif 000011
【図３】
2021528013.tif 000012
【図４】
2021528013.tif 000013
【図５】
2021528013.tif 000014
【図６】
2021528013.tif 000015
【図７】
2021528013.tif 000016
【図８】
2021528013.tif 000017
【図９】
2021528013.tif 000018
【図１０】
2021528013.tif 000019
【図１１】
2021528013.tif 000020
【図１２】
2021528013.tif 000021
【図１３】
2021528013.tif 000022
【図１４】
2021528013.tif 000023
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
情報送信方法であって、前記方法は、
モニタリング機会を決定するステップであって、前記モニタリング機会は、ビームについての情報との対応関係を有し、他のシステム情報のために利用可能なシステム情報ウィンドウ内にある、ステップと、
前記モニタリング機会においてダウンリンク制御情報を送信するステップと、
を含む、情報送信方法。
【請求項２】
前記対応関係は、前記ビームのインデックスと前記モニタリング機会の番号との間の差分値が、ネットワークデバイスから実際に送信されたビームの総数量の整数倍であること、を含む、
請求項１に記載の情報送信方法。
【請求項３】
前記対応関係は、ｍｏｄ（機会インデックス，Ｎ）＝ｉを満たし、ここで、機会インデックスは、前記システム情報ウィンドウにおけるモニタリング機会の番号を表し、Ｎは、ネットワークデバイスから実際に送信されたビームの総数量を表し、ｉは、ビームのインデックスを表す、
請求項１又は２に記載の情報送信方法。
【請求項４】
前記システム情報ウィンドウにおける第１番目のモニタリング機会から開始する連続番号付けが実行される、
請求項１〜３のいずれか１項に記載の情報送信方法。
【請求項５】
前記モニタリング機会におけるシンボルは、アップリンクシンボルと衝突しない、
請求項１〜４のいずれか１項に記載の情報送信方法。
【請求項６】
前記モニタリング機会における全てのシンボルは、フレキシブルシンボル又はダウンリンクシンボルである、
請求項１〜５のいずれか１項に記載の情報送信方法。
【請求項７】
前記モニタリング機会は、最小システム情報以外のシステム情報を含む他のシステム情報のダウンリンク制御情報を送信するために利用可能であり、前記最小システム情報は、マスター情報ブロックと、システム情報ブロック１とを含む、
請求項１〜６のいずれか１項に記載の情報送信方法。
【請求項８】
ビームについての前記情報は、同期信号ブロック（ＳＳＢ）のインデックスを含む、
請求項１〜６のいずれか１項に記載の情報送信方法。
【請求項９】
情報送信方法であって、前記方法は、
ターゲットビームについての情報、及び、ビームについての情報とモニタリング機会との間の対応関係に基づいて、ターゲットモニタリング機会を決定するステップであって、前記ターゲットモニタリング機会は、他のシステム情報のために利用可能なシステム情報ウィンドウ内にある、ステップと、
前記ターゲットモニタリング機会においてダウンリンク制御情報をモニタリングするステップと、
を含む、情報送信方法。
【請求項１０】
前記対応関係は、前記ビームのインデックスと前記モニタリング機会の番号との間の差分値が、ネットワークデバイスから実際に送信されたビームの総数量の整数倍であること、を含む、
請求項９に記載の情報送信方法。
【請求項１１】
前記対応関係は、ｍｏｄ（機会インデックス，Ｎ）＝ｉを満たし、ここで、機会インデックスは、前記システム情報ウィンドウにおけるモニタリング機会の番号を表し、Ｎは、ネットワークデバイスから実際に送信されたビームの総数量を表し、ｉは、ビームのインデックスを表す、
請求項９又は１０に記載の情報送信方法。
【請求項１２】
前記システム情報ウィンドウにおける第１番目のモニタリング機会から開始する連続番号付けが実行される、
請求項９〜１１のいずれか１項に記載の情報送信方法。
【請求項１３】
前記モニタリング機会におけるシンボルは、アップリンクシンボルと衝突しない、
請求項９〜１２のいずれか１項に記載の情報送信方法。
【請求項１４】
前記モニタリング機会における全てのシンボルは、フレキシブルシンボル又はダウンリンクシンボルである、
請求項９〜１３のいずれか１項に記載の情報送信方法。
【請求項１５】
前記モニタリング機会は、最小システム情報以外のシステム情報を含む他のシステム情報のダウンリンク制御情報を取得するために利用可能であり、前記最小システム情報は、マスター情報ブロックと、システム情報ブロック１とを含む、
請求項９〜１４のいずれか１項に記載の情報送信方法。
【請求項１６】
ビームについての前記情報は、同期信号ブロック（ＳＳＢ）のインデックスを含む、
請求項９〜１５のいずれか１項に記載の情報送信方法。
【請求項１７】
前記方法は、ビームの信号強度を検出することによって前記ターゲットビームについての前記情報を決定するステップをさらに含む、
請求項９〜１５のいずれか１項に記載の情報送信方法。
【請求項１８】
前記ターゲットビームは、条件を満たし、前記条件は、
前記ターゲットビームの信号強度がプリセット値より大きいこと、又は
ビームの信号強度が強い方から弱い方へランク付けされており、前記ターゲットビームの前記信号強度が現在のランクより高くランク付けされること、を含む、
請求項９〜１６のいずれか１項に記載の情報送信方法。
【請求項１９】
通信デバイスであって、前記通信デバイスは、
モニタリング機会を決定することであって、前記モニタリング機会は、ビームについての情報との対応関係を有し、他のシステム情報のために利用可能なシステム情報ウィンドウ内にある、ことを行うように構成された処理モジュールと、
前記モニタリング機会においてダウンリンク制御情報を送信するように構成された送信モジュールと、
を備える、通信デバイス。
【請求項２０】
前記対応関係は、前記ビームのインデックスと前記モニタリング機会の番号との間の差分値が、前記通信デバイスから実際に送信されたビームの総数量の整数倍であること、を含む、
請求項１９に記載の通信デバイス。
【請求項２１】
前記対応関係は、ｍｏｄ（機会インデックス，Ｎ）＝ｉを満たし、ここで、機会インデックスは、前記システム情報ウィンドウにおけるモニタリング機会の番号を表し、Ｎは、前記通信デバイスから実際に送信されたビームの総数量を表し、ｉは、ビームのインデックスを表す、
請求項１９又は２０に記載の通信デバイス。
【請求項２２】
前記システム情報ウィンドウにおける第１番目のモニタリング機会から開始する連続番号付けが実行される、
請求項１９〜２１のいずれか１項に記載の通信デバイス。
【請求項２３】
前記モニタリング機会におけるシンボルは、アップリンクシンボルと衝突しない、
請求項１９〜２２のいずれか１項に記載の通信デバイス。
【請求項２４】
前記モニタリング機会における全てのシンボルは、フレキシブルシンボル又はダウンリンクシンボルである、
請求項１９〜２３のいずれか１項に記載の通信デバイス。
【請求項２５】
前記モニタリング機会は、最小システム情報以外のシステム情報を含む他のシステム情報のダウンリンク制御情報を送信するために利用可能であり、前記最小システム情報は、マスタ情報ブロックと、システム情報ブロック１とを含む、
請求項１９〜２４のいずれか１項に記載の通信デバイス。
【請求項２６】
ビームについての前記情報は、同期信号ブロック（ＳＳＢ）のインデックスを含む、
請求項１９〜２５のいずれか１項に記載の通信デバイス。
【請求項２７】
ターゲットビームについての情報、及び、ビームについての情報とモニタリング機会との間の対応関係に基づいて、ターゲットモニタリング機会を決定することであって、前記ターゲットモニタリング機会は、他のシステム情報のために利用可能なシステム情報ウィンドウ内にある、ことを行うように構成された処理モジュールと、
前記ターゲットモニタリング機会においてダウンリンク制御情報をモニタリングするように構成された受信モジュールと、
を備える、通信デバイス。
【請求項２８】
前記対応関係は、前記ビームのインデックスと前記モニタリング機会の番号との間の差分値が、ネットワークデバイスから実際に送信されたビームの総数量の整数倍であること、を含む、
請求項２７に記載の通信デバイス。
【請求項２９】
前記対応関係は、ｍｏｄ（機会インデックス，Ｎ）＝ｉを満たし、ここで、機会インデックスは、前記システム情報ウィンドウにおけるモニタリング機会の番号を表し、Ｎは、ネットワークデバイスから実際に送信されたビームの総数量を表し、ｉは、ビームのインデックスを表す、
請求項２７又は２８に記載の通信デバイス。
【請求項３０】
前記システム情報ウィンドウにおける第１番目のモニタリング機会から開始する連続番号付けが実行される、
請求項２７〜２９のいずれか１項に記載の通信デバイス。
【請求項３１】
前記モニタリング機会におけるシンボルは、アップリンクシンボルと衝突しない、
請求項２７〜３０のいずれか１項に記載の通信デバイス。
【請求項３２】
前記モニタリング機会における全てのシンボルは、フレキシブルシンボル又はダウンリンクシンボルである、
請求項２７〜３１のいずれか１項に記載の通信デバイス。
【請求項３３】
前記モニタリング機会は、最小システム情報以外のシステム情報を含む他のシステム情報のダウンリンク制御情報を取得するために利用可能であり、前記最小システム情報は、マスタ情報ブロックと、システム情報ブロック１とを含む、
請求項２７〜３２のうちの１つに記載の通信デバイス。
【請求項３４】
ビームについての前記情報は、同期信号ブロック（ＳＳＢ）のインデックスを含む、
請求項２７〜３３のいずれか１項に記載の通信デバイス。
【請求項３５】
前記処理モジュールは、ビームの信号強度を検出することによって前記ターゲットビームについての前記情報を決定するようにさらに構成される、
請求項２７〜３４のいずれか１項に記載の通信デバイス。
【請求項３６】
前記ターゲットビームは、条件を満たし、前記条件は、
前記ターゲットビームの信号強度がプリセット値より大きいこと、又は
ビームの信号強度が強い方から弱い方へとランク付けされており、前記ターゲットビームの前記信号強度が現在のランクより高くランク付けされること、
を含む、
請求項２７〜３５のいずれか１項に記載の通信デバイス。
【請求項３７】
プロセッサと、メモリとを備える装置であって、前記メモリは、請求項１〜８のいずれか１項に記載の前記方法を実行するために、前記プロセッサによって実行可能である実行可能命令を格納する、装置。
【請求項３８】
コンピュータ可読記録媒体であって、前記コンピュータ可読記録媒体は、プロセッサによってプログラムが実行されたときに、請求項１〜８のいずれか１項に記載の前記ステップが実行されることを特徴とするプログラムを格納する、コンピュータ可読記録媒体。
【請求項３９】
プロセッサと、メモリとを備える装置であって、前記メモリは、請求項９〜１８のいずれか１項に記載の前記方法を実行するために、前記プロセッサによって実行可能である実行可能命令を格納する、装置。
【請求項４０】
コンピュータ可読記録媒体であって、前記コンピュータ可読記録媒体は、プロセッサによってプログラムが実行されたときに、請求項９〜１８のいずれか１項に記載の前記ステップが実行されることを特徴とするプログラムを格納する、コンピュータ可読記録媒体。
【請求項４１】
請求項３８に記載の前記装置と、請求項３９に記載の前記装置とを含む、通信システム。
【手続補正２】
【補正対象書類名】明細書
【補正対象項目名】全文
【補正方法】変更
【補正の内容】
【発明の詳細な説明】
【技術分野】
【０００１】
本出願は、フィールド通信技術に関し、詳細には、情報送信方法及び装置に関する。
【背景技術】
【０００２】
ロングタームエボリューション（Ｌｏｎｇ  Ｔｅｒｍ  Ｅｖｏｌｕｔｉｏｎ、ＬＴＥ）システムと比較して、新無線アクセス技術（Ｎｅｗ  Ｒａｄｉｏ  Ａｃｃｅｓｓ  Ｔｅｃｈｎｏｌｏｇｙ、ＮＲ）システムは、より高いスペクトルにおいて動作する。高周波数信号送信処理における速い減衰及び大きい経路損失のために、ＮＲシステムは、ビームフォーミング技術を使用して良好な指向性をもつビームを取得し、それにより、送信方向における電力を改善し、その結果、送信処理における高周波数信号の減衰が阻止されることが可能である。
【０００３】
現在、ＮＲシステムがビームフォーミング技術を使用するとき、ネットワークデバイスは、ビームスイーピング方式で通信デバイスにダウンリンク制御情報を送信する。ダウンリンク制御情報は、他のシステム情報（Ｏｔｈｅｒ  ｓｙｓｔｅｍ  ｉｎｆｏｒｍａｔｉｏｎ、ＯＳＩ）又はページング情報を搬送するための物理ダウンリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）の時間周波数情報を示すために使用される。通信デバイスは、全てのモニタリング機会において、ネットワークデバイスがダウンリンク制御情報を送信するかどうかをモニタリングする。しかし、ビームの限定されたカバレージエリアのために、いくつかのモニタリング機会では、ネットワークデバイスによって送信されるビームは通信デバイスをカバーすることが不可能である。従って、通信デバイスが、これらのモニタリング機会において、ネットワークデバイスがダウンリンク制御情報を送信するかどうかをモニタリングすることは明らかに効果がなく、それよりも、通信デバイスの電力が浪費される。
【発明の概要】
【０００４】
本出願は、通信デバイスが全てのモニタリング機会においてダウンリンク制御情報をブラインドモニタリングするときに引き起こされる電力浪費の問題を解決するための、情報送信方法及び装置を提供する。
【０００５】
上記の目的を達成するために、本出願は以下の技術的解決策を提供する。
【０００６】
第１の態様によれば、情報送信方法が提供され、ビームについての情報及びビームとモニタリング機会との間のマッピング関係に基づいてネットワークデバイスによって、ビームに対応するモニタリング機会を決定することであって、モニタリング機会はシステム情報ウィンドウ中にあり、システム情報ウィンドウはＯＳＩのために使用される、ことと、ビームに対応するモニタリング機会におけるビームを使用することによってダウンリンク制御情報を送信することとを含む。このようにして、特定のビームのカバレージエリア内の通信デバイスは、ダウンリンク制御情報を受信するために、システム情報ウィンドウ中の各モニタリング機会におけるダウンリンク制御情報をモニタリングする必要なしに、ビームに対応するモニタリング機会のみをモニタリングする必要があり、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【０００７】
可能な設計では、ビームとモニタリング機会との間のマッピング関係は、ビームのインデックスとモニタリング機会の番号との間の差がプリセット値に等しいことを含む。このようにして、ネットワークデバイスは、ビームのインデックスに基づいて、ビームに対応するモニタリング機会の番号を決定することができる。
【０００８】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒ（）は切り捨てを表し、Ｍは、システム情報ウィンドウ中に含まれるモニタリング機会の総数量を表し、Ｎは、セルによって実際に送信されたビームの総数量を表す。これは、セル中の各ビームが、システム情報ウィンドウ中の１つ又は複数のモニタリング機会に対応することを保証する。
【０００９】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。これは、セル中の各ビームが、システム情報ウィンドウ中の１つ又は複数のモニタリング機会に対応することを保証する。
【００１０】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。これは、システム情報ウィンドウ中の各モニタリング機会が一意の番号を有することを保証する。
【００１１】
任意選択で、モニタリング機会は第１のモニタリング機会であるか、又はモニタリング機会は第２のモニタリング機会であり、第２のモニタリング機会は、プリセット条件を満たす第１のモニタリング機会である。モニタリング機会が第２のモニタリング機会であるとき、モニタリング機会とアップリンクシンボルとの間、モニタリング機会とフレキシブルシンボルとの間、又はモニタリング機会とＳＳＢとの間の衝突が回避されることが可能であり、ネットワークデバイスがモニタリング機会においてダウンリンク制御情報を正常に送信することができることが保証され、それにより、通信デバイスがＯＳＩを正常に取得することができることが保証されることに留意されたい。
【００１２】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会において同期信号ブロック（Ｓｙｎｃｈｒｏｎｉｚａｔｉｏｎ  Ｓｉｇｎａｌ  ｂｌｏｃｋ、ＳＳＢ）が搬送されないこと
の少なくとも１つ又は任意の組み合わせを含む。
【００１３】
第２の態様によれば、情報送信方法が提供され、通信デバイスによって、ターゲットビームについての情報を決定することと、ターゲットビームについての情報及びビームとモニタリング機会との間のマッピング関係に基づいてターゲットモニタリング機会を決定することであって、ターゲットモニタリング機会はシステム情報ウィンドウ中にあり、システム情報ウィンドウは他のシステム情報ＯＳＩのために使用される、ことと、ターゲットモニタリング機会においてダウンリンク制御情報をモニタリングすることとを含む。このようにして、通信デバイスは、システム情報ウィンドウ中の各モニタリング機会におけるダウンリンク制御情報をモニタリングする必要がなく、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【００１４】
可能な設計では、ビームとモニタリング機会との間のマッピング関係は、ビームのインデックスとモニタリング機会の番号との間の差がプリセット値に等しいことを含む。このようにして、通信デバイスは、ビームのインデックスに基づいて、ビームに対応するモニタリング機会の番号を決定することができる。
【００１５】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒ（）は切り捨てを表し、Ｍは、システム情報ウィンドウ中に含まれるモニタリング機会の総数量を表し、Ｎは、セルによって実際に送信されたビームの総数量を表す。これは、セル中の各ビームが、システム情報ウィンドウ中の１つ又は複数のモニタリング機会に対応することを保証する。
【００１６】
可能な設計では、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。これは、セル中の各ビームが、システム情報ウィンドウ中の１つ又は複数のモニタリング機会に対応することを保証する。
【００１７】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。これは、システム情報ウィンドウ中の各モニタリング機会が一意の番号を有することを保証する。
【００１８】
任意選択で、モニタリング機会は第１のモニタリング機会であるか、又はモニタリング機会は第２のモニタリング機会であり、第２のモニタリング機会は、プリセット条件を満たす第１のモニタリング機会である。モニタリング機会が第２のモニタリング機会であるとき、モニタリング機会とアップリンクシンボルとの間、モニタリング機会とフレキシブルシンボルとの間、又はモニタリング機会とＳＳＢとの間の衝突が回避されることが可能であり、ネットワークデバイスがモニタリング機会においてダウンリンク制御情報を正常に送信することができることが保証され、それにより、通信デバイスがＯＳＩを正常に取得することができることが保証されることに留意されたい。
【００１９】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００２０】
第３の態様によれば、情報送信方法が提供され、ネットワークデバイスによって、通信デバイスに対応するページング機会を決定することであって、ページング機会は複数のモニタリング機会を含み、モニタリング機会はプリセット条件を満たす、ことと、ビームについての情報及びビームとモニタリング機会との間のマッピング関係に基づいて、ビームに対応するモニタリング機会を決定することと、ビームに対応するモニタリング機会におけるビームを使用することによってダウンリンク制御情報を送信することとを含む。上記の技術的解決策に基づいて、ページング機会中に含まれるモニタリング機会がプリセット条件を満たすので、ページング機会中に含まれるモニタリング機会は、アップリンクシンボル、フレキシブルシンボル、又はＳＳＢと衝突しない。これは、ネットワークデバイスが、ページング機会中に含まれるモニタリング機会においてダウンリンク制御情報を正常に送信することができることを保証し、それにより、通信デバイスがページング情報を正常に取得することができることを保証する。
【００２１】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００２２】
可能な設計では、ネットワークデバイスによって、通信デバイスに対応するページング機会を決定することは、式ｉ＿ｓ＝ｆｌｏｏｒ（ＵＥ＿ＩＤ／Ｎ）  ｍｏｄ  Ｎsに従って、通信デバイスに対応するページング機会の番号を決定することであって、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である、ことを含む。
【００２３】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００２４】
任意選択で、モニタリング機会に番号付けするためのルールは、モニタリング機会が、通信デバイスに対応するページングフレームの開始境界の後の１番目のモニタリング機会から開始して０から連続的に番号付けされることである。これは、ページングフレームの開始境界の後のモニタリング機会が一意の番号を有することを保証する。
【００２５】
第４の態様によれば、情報送信方法が提供され、通信デバイスによって、通信デバイスに対応するページング機会を決定することであって、ページング機会は複数のモニタリング機会を含み、モニタリング機会はプリセット条件を満たす、ことと、ターゲットビームについての情報を決定することと、ターゲットビームについての情報及びビームとモニタリング機会との間のマッピング関係に基づいてターゲットモニタリング機会を決定することと、ターゲットモニタリング機会においてダウンリンク制御情報をモニタリングすることとを含む。上記の技術的解決策に基づいて、ページング機会中に含まれるモニタリング機会がプリセット条件を満たすので、モニタリング機会は、アップリンクシンボル、フレキシブルシンボル、又はＳＳＢと衝突しない。従って、通信デバイスは、ターゲットモニタリング機会においてダウンリンク制御情報を受信することができ、それにより、通信デバイスがページング情報を正常に取得することができることを保証する。加えて、通信デバイスは、ページング機会中に含まれる各モニタリング機会におけるダウンリンク制御情報をモニタリングする必要なしに、ターゲットモニタリング機会においてのみダウンリンク制御情報をモニタリングするので、それにより、通信デバイスによるモニタリングの回数を低減し、モニタリング効率を改善し、通信デバイスの電力消費量を低減する。
【００２６】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００２７】
可能な設計では、通信デバイスによって、通信デバイスに対応するページング機会を決定することは、通信デバイスによって式ｉ＿ｓ＝ｆｌｏｏｒ（ＵＥ＿ＩＤ／Ｎ）  ｍｏｄＮsに従って、通信デバイスに対応するページング機会の番号を決定することであって、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である、ことを含む。
【００２８】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００２９】
任意選択で、モニタリング機会に番号付けするためのルールは、モニタリング機会が、通信デバイスに対応するページングフレームの開始境界の後の１番目のモニタリング機会から開始して０から連続的に番号付けされることである。これは、ページングフレームの開始境界の後のモニタリング機会が一意の番号を有することを保証する。
【００３０】
第５の態様によれば、処理モジュール及び送信モジュールを含む、ネットワークデバイスが提供される。処理モジュールは、ビームについての情報及びビームとモニタリング機会との間のマッピング関係に基づいて、ビームに対応するモニタリング機会を決定するように構成され、モニタリング機会はシステム情報ウィンドウ中にあり、システム情報ウィンドウはＯＳＩのために使用される。送信モジュールは、ビームに対応するモニタリング機会におけるビームを使用することによってダウンリンク制御情報を送信するように構成される。
【００３１】
可能な設計では、ビームとモニタリング機会との間のマッピング関係は、ビームのインデックスとモニタリング機会の番号との間の差がプリセット値に等しいことを含む。
【００３２】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒ（）は切り捨てを表し、Ｍは、システム情報ウィンドウ中に含まれるモニタリング機会の総数量を表し、Ｎは、セルによって実際に送信されたビームの総数量を表す。
【００３３】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。
【００３４】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。
【００３５】
任意選択で、モニタリング機会は第１のモニタリング機会であるか、又はモニタリング機会は第２のモニタリング機会であり、第２のモニタリング機会は、プリセット条件を満たす第１のモニタリング機会である。
【００３６】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００３７】
第６の態様によれば、処理モジュール及び送信モジュールを含む、ネットワークデバイスが提供される。処理モジュールは、通信デバイスに対応するページング機会を決定するように構成され、ページング機会は複数のモニタリング機会を含み、モニタリング機会はプリセット条件を満たす。処理モジュールは、ビームについての情報及びビームとモニタリング機会との間のマッピング関係に基づいて、ビームに対応するモニタリング機会を決定するようにさらに構成される。送信モジュールは、ビームに対応するモニタリング機会におけるビームを使用することによってダウンリンク制御情報を送信するように構成される。
【００３８】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００３９】
可能な設計では、処理モジュールは、式ｉ＿ｓ＝ｆｌｏｏｒ（ＵＥ＿ＩＤ／Ｎ）  ｍｏｄＮsに従って、通信デバイスに対応するページング機会の番号を決定するように構成され、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である。
【００４０】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００４１】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【００４２】
第７の態様によれば、プロセッサ及びメモリを含む、ネットワークデバイスが提供される。メモリは、コンピュータ実行可能命令を記憶するように構成され、ネットワークデバイスが実行されたとき、プロセッサは、メモリに記憶されたコンピュータ実行可能命令を実行し、それにより、ネットワークデバイスは、第１の態様又は第３の態様の可能な設計のいずれか１つによる情報送信方法を実施する。
【００４３】
第８の態様によれば、コンピュータ可読記憶媒体が提供され、コンピュータ可読記憶媒体は命令を記憶し、命令がコンピュータ上で実行されたとき、コンピュータは、第１の態様又は第３の態様の可能な設計のいずれか１つによる情報送信方法を実施することが可能である。
【００４４】
第９の態様によれば、命令を含むコンピュータプログラム製品が提供され、命令がコンピュータ上で実行されたとき、コンピュータは、第１の態様又は第３の態様の可能な設計のいずれか１つによる情報送信方法を実施することが可能である。
【００４５】
第１０の態様によれば、チップシステムが提供され、チップシステムは、第１の態様又は第３の態様の可能な設計のいずれか１つによる情報送信方法の機能を実装する際にネットワークデバイスをサポートするように構成された、プロセッサを含む。可能な設計では、チップシステムはメモリをさらに含み、メモリは、ネットワークデバイスのために必要であるプログラム命令及びデータを記憶するように構成される。チップシステムは、チップを含み得るか、又はチップ及び別の個別デバイスを含み得る。
【００４６】
第５の態様から第１０の態様におけるいずれかの設計によってもたらされる技術的効果については、第１の態様又は第３の態様における様々な設計によってもたらされる技術的効果を参照されたい。詳細について本明細書で再び説明されない。
【００４７】
第１１の態様によれば、通信デバイスが提供され、この通信デバイスは、ターゲットビームについての情報を決定するように構成された処理モジュールであって、処理モジュールは、ターゲットビームについての情報及びビームとモニタリング機会との間のマッピング関係に基づいてターゲットモニタリング機会を決定するようにさらに構成され、ターゲットモニタリング機会はシステム情報ウィンドウ中にあり、システム情報ウィンドウはＯＳＩのために使用される、処理モジュールと、ターゲットモニタリング機会においてダウンリンク制御情報をモニタリングするように構成された受信モジュールとを含む。
【００４８】
可能な設計では、ビームとモニタリング機会との間のマッピング関係は、ビームのインデックスとモニタリング機会の番号との間の差がプリセット値に等しいことを含む。
【００４９】
可能な設計では、ビームとモニタリング機会との間のマッピング関係は、インデックスがｉであるビームが、番号がｉ＊ｍから（ｉ＋１）＊ｍ−１であるｍ個のモニタリング機会に対応することを含み、ｍ＝ｆｌｏｏｒ（Ｍ／Ｎ）であり、ｆｌｏｏｒ（）は切り捨てを表し、Ｍは、システム情報ウィンドウ中に含まれるモニタリング機会の総数量を表し、Ｎは、セルによって実際に送信されたビームの総数量を表す。
【００５０】
可能な設計では、ビームとモニタリング機会との間のマッピング関係は、以下の式、ｍｏｄ（機会インデックス，Ｎ）＝ｉ、によって表され、機会インデックスは、システム情報ウィンドウ中のモニタリング機会の番号を表し、Ｎは、セルによって実際に送信されたビームの総数量を表し、ｉはビームのインデックスを表す。
【００５１】
任意選択で、モニタリング機会に番号付けするためのルールは、システム情報ウィンドウ中のモニタリング機会が、システム情報ウィンドウ中の１番目のモニタリング機会から開始して０から連続的に番号付けされることである。
【００５２】
任意選択で、モニタリング機会は第１のモニタリング機会であるか、又はモニタリング機会は第２のモニタリング機会であり、第２のモニタリング機会は、プリセット条件を満たす第１のモニタリング機会である。
【００５３】
可能な設計では、プリセット条件は、
第１のモニタリング機会における全てのシンボルがダウンリンクシンボルであること、
第１のモニタリング機会における全てのシンボルがフレキシブルシンボルであること、
第１のモニタリング機会における全てのシンボルがフレキシブルシンボル又はダウンリンクシンボルであること、
第１のモニタリング機会におけるダウンリンクシンボルの数量がプリセット数量よりも大きいこと、
第１のモニタリング機会におけるフレキシブルシンボルの数量がプリセット数量よりも大きいこと、
第１のモニタリング機会におけるダウンリンクシンボル及びフレキシブルシンボルの総数量がプリセット数量よりも大きいこと、
第１のモニタリング機会におけるフレキシブルシンボルが、ダウンリンク制御情報を送信する間にダウンリンクシンボルに変更されるように設定されること、又は
第１のモニタリング機会においてＳＳＢが搬送されないこと
の少なくとも１つ又は任意の組み合わせを含む。
【００５４】
第１２の態様によれば、処理モジュール及び受信モジュールを含む、通信デバイスが提供される。処理モジュールは、通信デバイスに対応するページング機会を決定するように構成され、ページング機会は複数のモニタリング機会を含み、モニタリング機会はプリセット条件を満たす。処理モジュールは、ターゲットビームについての情報を決定することと、ターゲットビームについての情報及びビームとモニタリング機会との間のマッピング関係に基づいてターゲットモニタリング機会を決定することとを行うようにさらに構成される。受信モジュールは、ターゲットモニタリング機会においてダウンリンク制御情報をモニタリングするように構成される。
【００５５】
可能な設計では、プリセット条件は、
モニタリング機会における全てのシンボルがダウンリンクシンボルであること、
モニタリング機会における全てのシンボルがフレキシブルシンボルであること、
モニタリング機会における全てのシンボルがフレキシブルシンボル又はダウンリンクシンボルであること、
モニタリング機会におけるダウンリンクシンボルの数量がプリセット数量よりも大きいこと、
モニタリング機会におけるフレキシブルシンボルの数量がプリセット数量よりも大きいこと、
モニタリング機会におけるダウンリンクシンボル及びフレキシブルシンボルの総数量がプリセット数量よりも大きいこと、
モニタリング機会におけるフレキシブルシンボルが、ダウンリンク制御情報を送信する間にダウンリンクシンボルに変更されるように設定されること、又は
モニタリング機会においてＳＳＢが搬送されないこと
の少なくとも１つ又は任意の組み合わせを含む。
【００５６】
可能な設計では、処理モジュールは、式ｉ＿ｓ＝ｆｌｏｏｒ（ＵＥ＿ＩＤ／Ｎ）  ｍｏｄＮsに従って、通信デバイスに対応するページング機会の番号を決定するように構成され、ｉ＿ｓはページング機会の番号を表し、ｆｌｏｏｒ（）は切り捨てを表し、ＵＥ＿ＩＤは通信デバイスの識別子を表し、Ｎ＝ｍｉｎ（Ｔ，ｎＢ）であり、Ｎs＝ｍａｘ（１，ｎＢ／Ｔ）であり、Ｔは通信デバイスのページングサイクルを表し、ｎＢはプリセット定数であり、ｎＢの値セットは｛４Ｔ，２Ｔ，Ｔ，Ｔ／２，Ｔ／４，Ｔ／８，Ｔ／１６｝である。
【００５７】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【００５８】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【００５９】
第１３の態様によれば、プロセッサ及びメモリを含む、通信デバイスが提供される。メモリは、コンピュータ実行可能命令を記憶するように構成され、通信デバイスが実行されたとき、プロセッサは、メモリに記憶されたコンピュータ実行可能命令を実行し、それにより、通信デバイスは、第２の態様又は第４の態様の可能な設計のいずれか１つによる情報送信方法を実施する。
【００６０】
第１４の態様によれば、コンピュータ可読記憶媒体が提供され、コンピュータ可読記憶媒体は命令を記憶し、命令がコンピュータ上で実行されたとき、コンピュータは、第２の態様又は第４の態様の可能な設計のいずれか１つによる情報送信方法を実施することが可能である。
【００６１】
第１５の態様によれば、命令を含むコンピュータプログラム製品が提供され、命令がコンピュータ上で実行されたとき、コンピュータは、第２の態様又は第４の態様の可能な設計のいずれか１つによる情報送信方法を実施することが可能である。
【００６２】
第１６の態様によれば、チップシステムが提供され、チップシステムは、第２の態様又は第４の態様の可能な設計のいずれか１つによる情報送信方法の機能を実装する際に通信デバイスをサポートするように構成された、プロセッサを含む。可能な設計では、チップシステムはメモリをさらに含み、メモリは、通信デバイスのために必要であるプログラム命令及びデータを記憶するように構成される。チップシステムは、チップを含み得るか、又はチップ及び別の個別デバイスを含み得る。
【００６３】
第１１の態様から第１６の態様におけるいずれかの設計によってもたらされる技術的効果については、第２の態様又は第４の態様における様々な設計によってもたらされる技術的効果を参照されたい。詳細について本明細書で再び説明されない。
【図面の簡単な説明】
【００６４】
【図１】ビームスイーピングの概略図である。
【図２】共通サーチスペースにおけるモニタリング機会の概略図である。
【図３】本出願の実施形態による通信システムの概略図である。
【図４】本出願の実施形態によるネットワークデバイス及び通信デバイスのハードウェア構造の概略図である。
【図５】本出願の実施形態による情報送信方法のフローチャートである。
【図６】本出願の実施形態による別の情報送信方法のフローチャートである。
【図７】本出願の実施形態によるネットワークデバイスの概略構造図１である。
【図８】本出願の実施形態によるネットワークデバイスの概略構造図２である。
【図９】本出願の実施形態によるネットワークデバイスの概略構造図３である。
【図１０】本出願の実施形態によるネットワークデバイスの概略構造図４である。
【図１１】本出願の実施形態による通信デバイスの概略構造図１である。
【図１２】本出願の実施形態による通信デバイスの概略構造図２である。
【図１３】本出願の実施形態による通信デバイスの概略構造図３である。
【図１４】本出願の実施形態による通信デバイスの概略構造図４である。
【発明を実施するための形態】
【００６５】
本出願における「第１の」、「第２の」などの用語は、異なる対象の間で区別することを意図されており、それらの順序を限定しない。例えば、第１のモニタリング機会及び第２のモニタリング機会は、異なるモニタリング機会の間で区別することを意図されているにすぎず、それらの順序を限定しない。
【００６６】
本出願における「及び／又は」という用語は、関連する対象を記述するための関連付け関係を記述するにすぎず、３つの関係が存在し得ることを示す。例えば、Ａ及び／又はＢは、Ａのみが存在する、ＡとＢの両方が存在する、及びＢのみが存在するの、３つの場合を表し得る。加えて、本出願における「／」という文字は、関連する対象間の「又は」関係を概して示す。
【００６７】
本出願では、「例示的な」又は「例えば」という語は、例、例示、又は説明を与えることを表すために使用されることに留意されたい。本出願において「例示的な」又は「例えば」として記述されるいかなる実施形態又は設計方式も、別の実施形態又は設計方式よりも好ましいか又はより多くの利点を有するものとして説明されるべきではない。正確には、「例示的な」又は「例」などの語の使用は、関係する概念を特定の方式で提示することを意図されている。
【００６８】
加えて、本出願の実施形態において説明されるネットワークアーキテクチャ及びサービスシナリオは、本出願の実施形態における技術的解決策についてより明確に説明することを意図されており、本出願の実施形態において提供される技術的解決策に対する限定とはならない。当業者は、ネットワークアーキテクチャの発展及び新しいサービスシナリオの出現とともに、本出願の実施形態において提供される技術的解決策が同様の技術的問題にも適用可能であることを知っているであろう。
【００６９】
本出願の実施形態において提供される方法について説明する前に、以下で、いくつかの概念について最初に手短に説明する。
【００７０】
１．無線フレーム
【００７１】
現在、ＮＲ通信システムでは、各無線フレームの長さは１０ｍｓであり、１つの無線フレームは複数のスロットを含み、１つのスロットは１４個の直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを含む。サブキャリア間隔（Ｓｕｂｃａｒｒｉｅｒ  Ｓｐａｃｉｎｇ  ＳＣＳ）が１５ｋＨｚであるとき、スロットの時間領域長さは１ｍｓである。
【００７２】
スロット中のＯＦＤＭシンボルの送信方向は、アップリンク、ダウンリンク、又はフレキシブルであり得る。ＯＦＤＭシンボルの送信方向がダウンリンクであることは、ネットワークデバイスが通信デバイスに情報を送信することを意味する。ＯＦＤＭシンボルの送信方向がアップリンクであることは、通信デバイスがネットワークデバイスに情報を送信することを意味する。ＯＦＤＭシンボルの送信方向がフレキシブルであることは、ＯＦＤＭシンボルの送信方向がアップリンクであり得るか又はダウンリンクであり得ることを意味する。
【００７３】
スロット中のシンボルの送信方向の組み合わせは、スロットのフォーマットとして理解されてよい。現在の規格はスロットフォーマットを指定し、その一部が表１に示されている。表１において、Ｄは、シンボルの送信方向がダウンリンクであることを示し、Ｕは、シンボルの送信方向がアップリンクであることを示し、Ｘは、シンボルの送信方向がフレキシブルであることを示す。
【００７４】
【表１】
2021528013.tif 000024
【００７５】
２．ビーム
【００７６】
ビームは通信リソースであり、アンテナを使用することによって信号が送信された後に様々な空間方向に形成される信号強度分布として理解されてよい。ビームは、データチャネル情報、制御チャネル情報、サウンディング信号などを送信するために使用され得る。ネットワークデバイスは、異なるビームを使用することによって同じ情報又は異なる情報を送り得る。
【００７７】
ビームフォーミング技術が使用された後に、ネットワークデバイスは、様々な指向性をもつ複数のビームを使用してセルを完全にカバーする必要がある。従って、ネットワークデバイスは通常、ビームスイーピング方式でダウンリンク情報を送信し、即ち、ネットワークデバイスは、様々な指向性をもつビームを使用することによって通信デバイスにダウンリンク情報を送信する。
【００７８】
例えば、図１を参照するとビームスイーピング方式について説明され、ネットワークデバイスは、ビーム１、ビーム２、及びビーム３を使用することによってセルをカバーする。ダウンリンク情報を送信する処理において、ネットワークデバイスは、最初に、ビーム１を使用することによってダウンリンク情報を送信し、次いで、ネットワークデバイスは、ビーム２を使用することによってダウンリンク情報を送信し、最後に、ネットワークデバイスは、ビーム３を使用することによってダウンリンク情報を送信する。このようにして、通信デバイスは、セルのカバレージエリア内の通信デバイスのロケーションにかかわらず、ネットワークデバイスによって送信されたダウンリンク情報を受信することができる。
【００７９】
３．システム情報
【００８０】
システム情報は、最小システム情報（Ｍｉｎｉｍｕｍ  ｓｙｓｔｅｍ  ｉｎｆｏｒｍａｔｉｏｎ、ＭＳＩ）及びＯＳＩを含む。
【００８１】
ＭＳＩは、マスタ情報ブロック（Ｍａｓｔｅｒ  Ｉｎｆｏｒｍａｔｉｏｎ  Ｂｌｏｃｋ、ＭＩＢ）及びシステム情報ブロック１（Ｓｙｓｔｅｍ  ｉｎｆｏｒｍａｔｉｏｎ  ｂｌｏｃｋ  １、ＳＩＢ１）を含む。ＭＩＢは、システムフレーム番号などの重要なパラメータを含む。ＳＩＢ１は、セルが利用可能であるかどうかを通信デバイスによって決定するために使用される、キャンピング閾値などのパラメータを含む。
【００８２】
ＯＳＩは、ＳＩＢ１以外の１つ又は複数のシステム情報ブロックを含む。例えば、ＯＳＩは、ＳＩＢ２、ＳＩＢ３などを含み得る。
【００８３】
４．共通サーチスペース（Ｃｏｍｍｏｎ  Ｓｅａｒｃｈ  Ｓｐａｃｅ、ＣＳＳ）
【００８４】
共通サーチスペースは時間周波数リソースである。共通サーチスペースは、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を送信するために使用され、ＰＤＣＣＨは、ＯＳＩのページングメッセージ又はダウンリンク制御情報を搬送する。通信デバイスは、ダウンリンク制御情報を取得するために、共通サーチスペースのモニタリング機会において共通サーチスペースをブラインド検出する必要がある。
【００８５】
現在の規格では、共通サーチスペースのモニタリング機会は、以下のパラメータを使用することによって構成される。
【００８６】
（１）スロットにおいて測定された、サイクルｋp,s。
【００８７】
（２）１サイクル中の連続する測定されるべきスロットの数量ｎs、ここで、測定されるべきスロットは、モニタリング機会を含むスロットである。
【００８８】
（３）オフセットスロットｏp,s。
【００８９】
（４）１４ビットビットマップ（ｂｉｔｍａｐ）によって表され、スロット中に含まれるモニタリング機会における１番目のシンボルのロケーションを示すために使用される、スロット中のサウンディングシンボルビット情報。
【００９０】
（５）モニタリング機会中に含まれる連続するシンボルの数量である、サウンディング持続時間。
【００９１】
（６）無線フレーム中の１番目の測定されるべきスロットが、式
【００９２】
【数１】
2021528013.tif 000025
【００９３】
を使用することによって決定される。
【００９４】
【数２】
2021528013.tif 000026
【００９５】
は、無線フレーム中のスロットの数量であり、ｎfは、無線フレームの数量を表し、
【００９６】
【数３】
2021528013.tif 000027
【００９７】
は、無線フレーム中の１番目の測定されるべきスロットの番号を表す。
【００９８】
例えば、ｋp,s＝５、ｏp,s＝１、ビットマップ＝［００００１００００１００００］であり、サウンディング持続時間が３つのシンボルであり、
【００９９】
【数４】
2021528013.tif 000028
【０１００】
かつｎs＝３である場合、共通サーチスペース中に含まれるモニタリング機会は図２に示され得る。
【０１０１】
５．システム情報ウィンドウ（ＳＩ−Ｗｉｎｄｏｗ）
【０１０２】
システム情報ウィンドウはＯＳＩのために使用される。各ＯＳＩのダウンリンク制御情報は、ＯＳＩに対応するシステム情報ウィンドウ中でのみ送信され、各システム情報ウィンドウ中では、対応するＯＳＩのダウンリンク制御情報のみが送信されることが可能であり、他のＯＳＩのダウンリンク制御情報は送信されることが不可能であることに留意されたい。
【０１０３】
システム情報ウィンドウは、次のパラメータ、即ち、システム情報ウィンドウの開始フレーム及び開始スロット、システム情報ウィンドウの長さ、システム情報ウィンドウのサイクル、及び、ＯＳＩリスト中のＯＳＩのシーケンス番号、に基づいて決定される。
【０１０４】
システム情報ウィンドウの長さは、システム情報ウィンドウ中に含まれるスロットの数量である。ＯＳＩリストは、送信されるべきＯＳＩを示すために使用され、ＯＳＩリスト中のＯＳＩは１から連続的に番号付けされる。ネットワークデバイスでは、システム情報ウィンドウのサイクル、システム情報ウィンドウの長さ、及びＯＳＩリストは全てプリセットされる。通信デバイスでは、システム情報ウィンドウのサイクル、システム情報ウィンドウの長さ、及びＯＳＩリストは、受信されたＳＩＢ１を使用することによって決定される。特に、システム情報ウィンドウの長さは、通信デバイスによって受信されるＳＩＢ１のｓｉ−ＷｉｎｄｏｗＬｅｎｇｔｈフィールドによって指定される。ＯＳＩリストは、ＳＩＢ１のｓｃｈｅｄｕｌｉｎｇＩｎｆｏＬｉｓｔフィールドによって指定される。システム情報ウィンドウのサイクルは、ＳＩＢ１のｓｉ−Ｐｅｒｉｏｄｉｃｉｔｙフィールドによって指定される。
【０１０５】
システム情報ウィンドウの開始フレームは、式ＳＦＮｍｏｄ（Ｔ）＝ｆｌｏｏｄ（ｘ／ｄ）に従って決定される。ＳＦＮは、システム情報ウィンドウの開始フレームのシステムフレーム番号であり、Ｔは、システム情報ウィンドウのサイクルを表し、ｄは、無線フレーム中のスロットの数量を表し、ｄは通常１０であり、ｘ＝（ｎ−１）＊ｗであり、ｗは、システム情報ウィンドウの長さを表し、ｎは、ＯＳＩリスト中のＯＳＩのシーケンス番号を表す。
【０１０６】
システム情報ウィンドウの開始フレーム中の開始スロットは、式ａ＝ｘｍｏｄ（ｄ）に従って決定され、ａは開始スロットの番号を表す。
【０１０７】
本出願において提供される情報送信方法は、第５世代（５ｔｈ  Ｇｅｎｅｒａｔｉｏｎ、５Ｇ）通信技術のＮＲ通信システム、将来の発展型システム、又は複数の通信がコンバージされるシステムなど、ビームフォーミング技術を使用する様々な通信システムに適用され得る。本出願において提供される技術的解決策は、マシンツーマシン（ｍａｃｈｉｎｅ  ｔｏ  ｍａｃｈｉｎｅ、Ｍ２Ｍ）通信シナリオ、マクロマイクロ通信シナリオ、拡張モバイルブロードバンド（ｅｎｈａｎｃｅｄ  ｍｏｂｉｌｅ  ｂｒｏａｄｂａｎｄ、ｅＭＢＢ）シナリオ、超高信頼及び低レイテンシ通信（Ｕｌｔｒａ−Ｒｅｌｉａｂｌｅ  ＆  Ｌｏｗ  Ｌａｔｅｎｃｙ  Ｃｏｍｍｕｎｉｃａｔｉｏｎｓ、ｕＲＬＬＣ）シナリオ、及び大量マシンタイプ通信（ｍａｓｓｉｖｅ  ｍａｃｈｉｎｅ  ｔｙｐｅ  ｃｏｍｍｕｎｉｃａｔｉｏｎｓ、ｍＭＴＣ）シナリオなど、複数の適用シナリオに適用され得る。これらのシナリオは、限定されないが、通信デバイス間の通信のシナリオ、ネットワークデバイス間の通信のシナリオ、ネットワークデバイスと通信デバイスとの間の通信のシナリオなどを含み得る。
【０１０８】
図３は、本出願において提供される技術的解決策に適用可能な通信システムの概略図を提供する。通信システム１０は、ネットワークデバイス２０及び通信デバイス３０を含む。
【０１０９】
ネットワークデバイス２０は、ワイヤレス通信における基地局、基地局コントローラなどであり得る。例えば、基地局は、モバイル通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ、ＧＳＭ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムにおける基地トランシーバ局（Ｂａｓｅ  Ｔｒａｎｓｃｅｉｖｅｒ  Ｓｔａｔｉｏｎ、ＢＴＳ）であり得るか、又は広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システムにおけるノードＢ（ＮｏｄｅＢ）であり得るか、又はＬＴＥシステムにおける発展型ノードＢ（ｅｖｏｌｖｅｄ  Ｎｏｄｅ  Ｂ、ｅＮＢ、又はｅ−ＮｏｄｅＢ）であり得る。代替として、基地局は、モノのインターネット（Ｉｎｔｅｒｎｅｔ  ｏｆ  Ｔｈｉｎｇｓ、ＩｏＴ）又は狭帯域モノのインターネット（Ｎａｒｒｏｗｂａｎｄ  Ｉｎｔｅｒｎｅｔ  ｏｆ  Ｔｈｉｎｇｓ、ＮＢ−ＩｏＴ）におけるｅＮＢであり得る。これは、本出願のこの実施形態では特に限定されない。もちろん、ネットワークデバイス２０は、別のネットワーク中のデバイスであってよく、例えば、将来の５Ｇモバイル通信ネットワーク又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中のネットワークデバイスであってよい。
【０１１０】
通信デバイス３０は、音声及び／又はデータ接続性サービスをユーザに提供し、例えば、ユーザ機器（ｕｓｅｒ  ｅｑｕｉｐｍｅｎｔ、ＵＥ）、アクセス端末、端末ユニット、端末局、移動局、リモート局、リモート端末、モバイルデバイス、ワイヤレス通信デバイス、端末エージェント、又は端末装置であり得る。アクセス端末は、セルラーフォン、コードレスフォン、セッション開始プロトコル（ｓｅｓｓｉｏｎ  ｉｎｉｔｉａｔｉｏｎ  ｐｒｏｔｏｃｏｌ、ＳＩＰ）フォン、ワイヤレスローカルループ（ｗｉｒｅｌｅｓｓ  ｌｏｃａｌ  ｌｏｏｐ、ＷＬＬ）局、パーソナルデジタルアシスタント（ｐｅｒｓｏｎａｌ  ｄｉｇｉｔａｌ  ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載デバイス、ウェアラブルデバイス、将来の５Ｇネットワーク中の通信デバイス、将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）中の通信デバイスなどであり得る。これは、本出願のこの実施形態では特に限定されない。
【０１１１】
図４は、本出願の実施形態によるネットワークデバイス２０及び通信デバイス３０のハードウェア構造の概略図である。
【０１１２】
通信デバイス３０は、少なくとも１つのプロセッサ３０１、少なくとも１つのメモリ３０２、及び少なくとも１つのトランシーバ３０３を含む。任意選択で、通信デバイス３０は、出力デバイス３０４及び入力デバイス３０５をさらに含み得る。
【０１１３】
プロセッサ３０１、メモリ３０２、及びトランシーバ３０３は、バスを使用することによって接続される。プロセッサ３０１は、本出願の解決策のプログラム実行を制御するように構成された、汎用中央処理ユニット（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、又は１つ又は複数の集積回路であり得る。プロセッサ３０１は複数のＣＰＵを含んでよく、プロセッサ３０１は、シングルコア（ｓｉｎｇｌｅ−ｃｏｒｅ）プロセッサ又はマルチコア（ｍｕｌｔｉ−ｃｏｒｅ）プロセッサであってよい。本明細書のプロセッサは、（コンピュータプログラム命令などの）データを処理するように構成された１つ又は複数のデバイス、回路、又は処理コアであり得る。
【０１１４】
メモリ３０２は、静的情報及び命令を記憶することが可能な読取り専用メモリ（Ｒｅａｄ−Ｏｎｌｙ  Ｍｅｍｏｒｙ、ＲＯＭ）又は別のタイプの静的記憶デバイス、又は情報及び命令を記憶することが可能なランダムアクセスメモリ（Ｒａｎｄｏｍ  Ａｃｃｅｓｓ  Ｍｅｍｏｒｙ、ＲＡＭ）又は別のタイプの動的記憶デバイスであり得るか、又は電気消去可能プログラマブル読取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）又は別のコンパクトディスクストレージ、（コンパクトディスク、レーザーディスク、光ディスク、デジタル多用途ディスク、Ｂｌｕ−ｒａｙディスクなどを含む）光ディスクストレージ、又は磁気ディスク記憶媒体又は別の磁気記憶デバイス、又は命令又はデータ構造形態を有する期待されるプログラムコードを搬送又は記憶することができ、コンピュータによってアクセスされることが可能な任意の他の媒体であり得るが、それらに限定されない。メモリ３０２は、独立して存在し、バスを使用することによってプロセッサ３０１に接続され得る。代替として、メモリ３０２はプロセッサ３０１と一体化され得る。メモリ３０２は、本出願の解決策を実施するために使用されるアプリケーションプログラムコードを記憶するように構成され、実行はプロセッサ３０１によって制御される。プロセッサ３０１は、メモリ３０２に記憶されたコンピュータプログラムコードを実行して、本出願の実施形態における情報送信方法を実装するように構成される。
【０１１５】
トランシーバ３０３は、別のデバイス、又はイーサネット、無線アクセスネットワーク（Ｒａｄｉｏ  Ａｃｃｅｓｓ  Ｎｅｔｗｏｒｋ、ＲＡＮ）、又はワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）などの通信ネットワークと通信するために、トランシーバなどの任意の装置を使用し得る。トランシーバ３０３は、送信機Ｔｘ及び受信機Ｒｘを含む。
【０１１６】
出力デバイス３０４は、プロセッサ３０１と通信し、複数の方式で情報を表示し得る。例えば、出力デバイス３０４は、液晶ディスプレイ（Ｌｉｑｕｉｄ  Ｃｒｙｓｔａｌ  Ｄｉｓｐｌａｙ、ＬＣＤ）、発光ダイオード（Ｌｉｇｈｔ  Ｅｍｉｔｔｉｎｇ  Ｄｉｏｄｅ、ＬＥＤ）ディスプレイデバイス、陰極線管（Ｃａｔｈｏｄｅ  Ｒａｙ  Ｔｕｂｅ、ＣＲＴ）ディスプレイデバイス、プロジェクタ（ｐｒｏｊｅｃｔｏｒ）などであり得る。入力デバイス３０５は、プロセッサ３０１と通信し、複数の方式でユーザ入力を受信し得る。例えば、入力デバイス３０５は、マウス、キーボード、タッチスクリーンデバイス、感知デバイスなどであり得る。
【０１１７】
ネットワークデバイス２０は、少なくとも１つのプロセッサ２０１、少なくとも１つのメモリ２０２、少なくとも１つのトランシーバ２０３、及び少なくとも１つのネットワークインターフェース２０４を含む。プロセッサ２０１、メモリ２０２、トランシーバ２０３、及びネットワークインターフェース２０４は、バスを使用することによって接続される。ネットワークインターフェース２０４は、リンク（例えば、Ｓ１インターフェース）を使用することによってコアネットワークデバイスに接続するか、又はワイヤード又はワイヤレスリンク（例えば、Ｘ２インターフェース）を使用することによって（図に示されていない）別のアクセスネットワークデバイスのネットワークインターフェースに接続するように構成される。これは、本出願のこの実施形態では特に限定されない。加えて、プロセッサ２０１、メモリ２０２、及びトランシーバ２０３の関係する説明については、通信デバイス３０中のプロセッサ３０１、メモリ３０２、及びトランシーバ３０３の説明を参照されたい。詳細について本明細書で再び説明されない。
【０１１８】
図５は、本出願の実施形態による情報送信方法を示す。方法は、ネットワークデバイスが通信デバイスにＯＳＩのダウンリンク制御情報を送信するシナリオに適用される。方法は、以下のステップＳ１０１からＳ１０５を含む。
【０１１９】
Ｓ１０１．ネットワークデバイスが、ビームについての情報及びビームとモニタリング機会との間のマッピング関係に基づいて、ビームに対応するモニタリング機会を決定する。
【０１２０】
ビームは、いずれかのセルによって実際に送信されたビームである。ビームについての情報は、ビームのインデックスを含む。任意選択で、ビームのインデックスはＳＳＢのインデックスである。
【０１２１】
モニタリング機会はシステム情報ウィンドウ中にあり、システム情報ウィンドウはＯＳＩのために使用される。
【０１２２】
任意選択で、システム情報ウィンドウ中に含まれるモニタリング機会は第１のモニタリング機会である。
【０１２３】
しかし、第１のモニタリング機会は、アップリンクシンボル、フレキシブルシンボル、又はＳＳＢと衝突することがある。例えば、第１のモニタリング機会中に含まれる全てのシンボルはアップリンクシンボルである。第１のモニタリング機会が、アップリンクシンボル、フレキシブルシンボル、又はＳＳＢと衝突するとき、ネットワークデバイスは、第１のモニタリング機会においてダウンリンク制御情報を送信することができず、従って、通信デバイスは、第１のモニタリング機会においてダウンリンク制御情報を受信することもできない。通信デバイスが、第１のモニタリング機会においてダウンリンク制御情報を依然としてモニタリングした場合、通信デバイスは、ダウンリンク制御情報を明らかに受信することができないが、代わりに、通信デバイスの電力が浪費される。
【０１２４】
従って、効果がない第１のモニタリング機会においてダウンリンク制御情報を通信デバイスがモニタリングするのを防ぎ、通信デバイスの電力消費量を低減するために、本出願のこの実施形態では、第２のモニタリング機会は、プリセット条件を満たす第１のモニタリング機会である。プリセット条件は、第１のモニタリング機会がアップリンクシンボル、フレキシブルシンボル、又はＳＳＢと衝突しない、ということである。
【０１２５】
システム情報ウィンドウ中に含まれるモニタリング機会が特に第１のモニタリング機会であるか第２のモニタリング機会であるかは、ネットワークデバイスと通信デバイスとの間のネゴシエーションを通して決定されるか、又はプリセットを通して決定されることに留意されたい。
【０１２６】
任意選択で、プリセット条件は、以下の少なくとも１つ又は任意の組み合わせを含む。
【０１２７】
（１）第１のモニタリング機会における全てのシンボルがダウンリンクシンボルである。
【０１２８】
（２）第１のモニタリング機会における全てのシンボルがフレキシブルシンボルである。
【０１２９】
（３）第１のモニタリング機会における全てのシンボルがフレキシブルシンボル又はダウンリンクシンボルである。
【０１３０】
（４）第１のモニタリング機会におけるダウンリンクシンボルの数量がプリセット数量よりも大きい。プリセット数量は、上位レイヤによって構成されるか又は予め定義されることに留意されたい。任意選択で、ネットワークデバイスは、通信デバイスに通知メッセージを送信し、それにより、通信デバイスは、プリセット数量の特定の値について知る。
【０１３１】
（５）第１のモニタリング機会におけるフレキシブルシンボルの数量がプリセット数量よりも大きい。
【０１３２】
（６）第１のモニタリング機会におけるダウンリンクシンボル及びフレキシブルシンボルの総数量がプリセット数量よりも大きい。
【０１３３】
（７）第１のモニタリング機会におけるフレキシブルシンボルが、ダウンリンク制御情報を送信する間にダウンリンクシンボルに変更されるように設定される。ネットワークデバイスは、通信デバイスに通知メッセージを送信し、それにより、通信デバイスは、ダウンリンク制御情報を送信している間に第１のモニタリング機会におけるフレキシブルシンボルがダウンリンクシンボルに変更されるように設定されているかどうかを知ることに留意されたい。
【０１３４】
（８）第１のモニタリング機会においてＳＳＢが搬送されない。ＳＳＢは、プライマリ同期信号、セカンダリ同期信号、及び物理ブロードキャストチャネルを含み、物理ブロードキャストチャネルは、ＳＳＢのインデックス及びＭＩＢなどの情報を搬送することに留意されたい。ＳＳＢはビームスイーピング方式で送信され、ＳＳＢを送信するための各ビームはＳＳＢビームであり、ＳＳＢのインデックスは、対応するビームのインデックスである。ダウンリンク共通チャネルを搬送するためのビームとＳＳＢビームは、擬似コロケーション（ｑｕａｓｉ−ｃｏｌｏｃａｔｉｏｎ、ＱＣＬ）関係を有する。言い換えれば、ダウンリンク共通チャネルを搬送するためのビームはまた、ＳＳＢビームのインデックスを使用する。
【０１３５】
以下で、例を用いて上記のプリセット条件（１）から（８）の実装のケースについて説明する。
【０１３６】
例えば、第１のモニタリング機会における全てのシンボルがダウンリンクシンボルであるが、ＳＳＢが第１のモニタリング機会において搬送される必要がある場合、第１のモニタリング機会は第２のモニタリング機会でない。
【０１３７】
別の例では、第１のモニタリング機会におけるフレキシブルシンボルの数量がプリセット数量よりも大きいが、第１のモニタリング機会におけるフレキシブルシンボルが、ダウンリンク制御情報を送信している間にダウンリンクシンボルに変更されるように設定されていない場合、第１のモニタリング機会は第２のモニタリング機会でない。
【０１３８】
別の例では、第１のモニタリング機会におけるダウンリンクシンボル及びフレキシブルシンボルの総数量がプリセット数量よりも大きく、第１のモニタリング機会におけるフレキシブルシンボルが、ダウンリンク制御情報を送信している間にダウンリンクシンボルに変更されるように設定されている場合、第１のモニタリング機会は第２のモニタリング機会である。
【０１３９】
本出願のこの実施形態では、ビームとモニタリング機会との間のマッピング関係は、ビームとモニタリング機会との間の１対１の対応関係又は１対多の対応関係である。
【０１４０】
加えて、セル中の各ビームがシステム情報ウィンドウ中の１つ又は複数のモニタリング機会に対応することを保証するために、システム情報ウィンドウ中に含まれるモニタリング機会の総数量は、セルによって実際に送信されたビームの総数量よりも大きくなるように設定され得る。
【０１４１】
例えば、ビームとモニタリング機会との間のマッピング関係は、ビームのインデックスとモニタリング機会の番号との間の差がプリセット値に等しいことである。任意選択で、プリセット値は、セルによって実際に送信されたビームの総数量の整数倍を含む。
【０１４２】
別の例では、ビームとモニタリング機会との間のマッピング関係は、インデックスがｉであるビームが、番号がｉ＊ｍから（ｉ＋１）＊ｍ−１であるｍ個のモニタリング機会に対応することであり、ｍ＝ｆｌｏｏｒ（Ｍ／Ｎ）であり、ｆｌｏｏｒ（）は切り捨てを表し、Ｍは、システム情報ウィンドウ中に含まれるモニタリング機会の総数量を表し、Ｎは、セルによって実際に送信されたビームの総数量を表す。
【０１４３】
任意選択で、ビームとモニタリング機会との間のマッピング関係は、リスト又は式の形態で実装されてよい。もちろん、ビームとモニタリング機会との間の対応関係は、代替として別の形態で実装されてよく、これは、本出願のこの実施形態では限定されない。
【０１４４】
例えば、表２は、ビームとモニタリング機会との間のマッピング関係の例を示している。
【０１４５】
【表２】
2021528013.tif 000029
【０１４６】
例えば、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。
【０１４７】
システム情報ウィンドウ中のモニタリング機会に番号付けするためのルールは、システム情報ウィンドウ中のモニタリング機会が、システム情報ウィンドウ中の１番目のモニタリング機会から開始して０から連続的に番号付けされることであることに留意されたい。
【０１４８】
特に、システム情報ウィンドウ中に含まれるモニタリング機会が第１のモニタリング機会であるとき、システム情報ウィンドウ中の第１のモニタリング機会は、システム情報ウィンドウ中の１番目の第１のモニタリング機会から開始して０から連続的に番号付けされる。システム情報ウィンドウ中に含まれるモニタリング機会が第２のモニタリング機会であるとき、システム情報ウィンドウ中の第２のモニタリング機会は、システム情報ウィンドウ中の１番目の第２のモニタリング機会から開始して０から連続的に番号付けされることである。
【０１４９】
例えば、システム情報ウィンドウが、モニタリング機会ａ、モニタリング機会ｂ、モニタリング機会ｃ、及びモニタリング機会ｄを連続的に含み、モニタリング機会ａ及びモニタリング機会ｄが第２のモニタリング機会であると仮定される。システム情報ウィンドウ中に含まれるモニタリング機会が第１のモニタリング機会であるとき、モニタリング機会ａは０に番号付けされ、モニタリング機会ｂは１に番号付けされ、モニタリング機会ｃは２に番号付けされ、モニタリング機会ｄは３に番号付けされる。システム情報ウィンドウ中に含まれるモニタリング機会が第２のモニタリング機会であるとき、モニタリング機会ａは０に番号付けされ、モニタリング機会ｄは１に番号付けされる。
【０１５０】
Ｓ１０２．ネットワークデバイスが、ビームに対応するモニタリング機会におけるビームを使用することによってダウンリンク制御情報を送信する。
【０１５１】
ダウンリンク制御情報は、ＯＳＩを搬送するためのＰＤＳＣＨの時間周波数情報を示すために使用される。ダウンリンク制御情報はＰＤＣＣＨ中で搬送される。
【０１５２】
例えば、表２を参照しながら説明が与えられる。ネットワークデバイスは、インデックスが０であるビームを使用することによって、システム情報ウィンドウ中の０及び１に番号付けされたモニタリング機会においてダウンリンク制御情報を送信する。ネットワークデバイスは、インデックスが１であるビームを使用することによって、システム情報ウィンドウ中の２及び３に番号付けされたモニタリング機会においてダウンリンク制御情報を送信する。アナロジーによって、ネットワークデバイスは、インデックスがＮ−１であるビームを使用することによって、システム情報ウィンドウ中の２Ｎ−２及び２Ｎ−１に番号付けされたモニタリング機会においてダウンリンク制御情報を送信する。
【０１５３】
Ｓ１０３．通信デバイスが、ターゲットビームについての情報を決定する。
【０１５４】
ターゲットビームについての情報は、ターゲットビームのインデックスを含む。
【０１５５】
ターゲットビームは、セルによって実際に送信されたビーム中の、特定の条件を満たすビームである。例えば、ターゲットビームの信号強度がプリセット値よりも大きいか、或いは、ターゲットビームの信号強度が、高から低への信号強度ランキングに関して、プリセット位置よりも高くランキングされる。
【０１５６】
ターゲットビームの信号強度がプリセット値よりも大きいか、又はターゲットビームの信号強度がプリセット位置よりも高くランキングされることは、通信デバイスがターゲットビームのカバレージエリア内にあることを示し、従って、通信デバイスは、ターゲットビームを使用することによってネットワークデバイスによって配信された情報を受信することができることが理解できよう。
【０１５７】
任意選択の実装では、通信デバイスは、ビームの信号強度を検出して、ターゲットビームを決定し、ターゲットビームについての情報をさらに決定する。
【０１５８】
ターゲットビームの数量は、本出願のこの実施形態では限定されず、即ち、通信デバイスは、ターゲットビームとして複数の異なるビームを決定し得ることに留意されたい。
【０１５９】
Ｓ１０４．通信デバイスが、ターゲットビームについての情報及びビームとモニタリング機会との間のマッピング関係に基づいてターゲットモニタリング機会を決定する。
【０１６０】
ターゲットモニタリング機会はシステム情報ウィンドウ中にあり、ターゲットモニタリング機会はターゲットビームに対応する。
【０１６１】
ステップＳ１０４はステップＳ１０１と同様である。関係する説明については、ステップＳ１０１を参照されたい。本出願のこの実施形態では、詳細について本明細書で再び説明されない。
【０１６２】
Ｓ１０５．通信デバイスが、ターゲットモニタリング機会においてダウンリンク制御情報をモニタリングする。
【０１６３】
任意選択で、システム情報ウィンドウ中に含まれるモニタリング機会が第１のモニタリング機会である場合、ターゲットビームに対応する第１のモニタリング機会を決定した後に、通信デバイスは、ターゲットビームに対応する第１のモニタリング機会がプリセット条件を満たすかどうかを決定する（即ち、ターゲットビームに対応する第１のモニタリング機会が第２のモニタリング機会であるかどうかを決定する）。ターゲットビームに対応する第１のモニタリング機会がプリセット条件を満たす場合、通信デバイスは、第１のモニタリング機会に基づいてダウンリンク制御情報をモニタリングする。ターゲットビームに対応する第１のモニタリング機会がプリセット条件を満たさない場合、通信デバイスは、通信デバイスの電力消費量を低減するために、第１のモニタリング機会においてダウンリンク制御情報をモニタリングしない。
【０１６４】
任意選択で、システム情報ウィンドウ中に含まれるモニタリング機会が第２のモニタリング機会である場合、通信デバイスは、ターゲットモニタリング機会においてダウンリンク制御情報をモニタリングする。
【０１６５】
本出願のこの実施形態において提供される情報送信方法によれば、通信デバイスは、ターゲットビームについての情報、及びビームとモニタリング機会との間の対応関係に基づいてターゲットモニタリング機会を決定し、従って、通信デバイスは、ターゲットモニタリング機会においてのみダウンリンク制御情報をモニタリングする。このようにして、通信デバイスは、システム情報ウィンドウ中の各モニタリング機会におけるダウンリンク制御情報をモニタリングする必要がなく、それにより、通信デバイスによってダウンリンク制御情報をモニタリングする回数を低減し、通信デバイスによってダウンリンク制御情報をモニタリングする際の効率を改善し、通信デバイスの電力消費量を低減するのを助ける。
【０１６６】
上記のステップＳ１０１の行為は、図４に示されているネットワークデバイス中のプロセッサ２０１によって、メモリ２０２に記憶されたアプリケーションプログラムコードを呼び出すことによって実施され得る。上記のステップＳ１０２の行為は、図４に示されているネットワークデバイス中の通信インターフェース２０３によって実施され得る。上記のステップＳ１０３及びＳ１０４の行為は、図４に示されている通信デバイス中のプロセッサ３０１によって、メモリ３０２に記憶されたアプリケーションプログラムコードを呼び出すことによって実施され得る。上記のステップＳ１０５の行為は、図４に示されている通信デバイス中の通信インターフェース２０４によって実施され得る。これは、本出願のこの実施形態では限定されない。
【０１６７】
現在、通信デバイスは、ページング機会中に含まれるモニタリング機会においてダウンリンク制御情報をモニタリングし、それにより、通信デバイスは、ダウンリンク制御情報に基づいてページング情報を取得する。しかし、現在の規格によって定義されたモニタリング機会は、アップリンクシンボル、フレキシブルシンボル、又はＳＳＢと衝突することがある。例えば、モニタリング機会中に含まれる全てのシンボルはアップリンクシンボルである。この場合、結果的に、ネットワークデバイスは、モニタリング機会においてダウンリンク制御情報を送信することができず、さらに、通信デバイスは、ページング情報を取得することができず、通信デバイスの通常の使用に影響が及ぶ。
【０１６８】
ネットワークデバイスが、ページング機会中に含まれるモニタリング機会においてダウンリンク制御情報を正常に送信することができることを保証するために、及びそれに応じて、通信デバイスがページング情報を正常に取得することができることを保証するために、本出願の実施形態は情報送信方法を提供する。図６に示されているように、方法は以下のステップＳ２０１からＳ２０７を含む。
【０１６９】
Ｓ２０１．ネットワークデバイスが、通信デバイスに対応するページング機会を決定する。
【０１７０】
ページング機会は複数のモニタリング機会を含み、モニタリング機会はプリセット条件を満たす。プリセット条件は、モニタリング機会がアップリンクシンボル、フレキシブルシンボル、又はＳＳＢと衝突しない、ということである。
【０１７１】
任意選択で、プリセット条件は、以下の少なくとも１つ又は任意の組み合わせを含む。
【０１７２】
（１）モニタリング機会における全てのシンボルがダウンリンクシンボルである。
【０１７３】
（２）モニタリング機会における全てのシンボルがフレキシブルシンボルである。
【０１７４】
（３）モニタリング機会における全てのシンボルがフレキシブルシンボル又はダウンリンクシンボルである。
【０１７５】
（４）モニタリング機会におけるダウンリンクシンボルの数量がプリセット数量よりも大きい。プリセット数量は、上位レイヤによって構成されるか又は予め定義されることに留意されたい。任意選択で、ネットワークデバイスは、通信デバイスに通知メッセージを送信し、それにより、通信デバイスは、プリセット数量の特定の値について知る。
【０１７６】
（５）モニタリング機会におけるフレキシブルシンボルの数量がプリセット数量よりも大きい。
【０１７７】
（６）モニタリング機会におけるダウンリンクシンボル及びフレキシブルシンボルの総数量がプリセット数量よりも大きい。
【０１７８】
（７）モニタリング機会におけるフレキシブルシンボルが、ダウンリンク制御情報を送信する間にダウンリンクシンボルに変更されるように設定される。ネットワークデバイスは、通信デバイスに通知メッセージを送信し、それにより、通信デバイスは、ダウンリンク制御情報を送信している間に第１のモニタリング機会におけるフレキシブルシンボルがダウンリンクシンボルに変更されるように設定されているかどうかを知ることに留意されたい。
【０１７９】
（８）モニタリング機会においてＳＳＢが搬送されない。
【０１８０】
通信デバイスに対応するページング機会は、ページングフレームのシステムフレーム番号及びページング機会の番号に基づいて決定されることに留意されたい。
【０１８１】
ページングフレームのシステムフレーム番号は、式ｍｏｄ（ＳＦＮ＋オフセット，Ｔ）＝（Ｔ  ｄｉｖ  Ｎ）＊ｍｏｄ（ＵＥ＿ＩＤ，Ｎ）に従って決定される。ＳＦＮは、ページングフレームのシステムフレーム番号であり、オフセットは、システムフレーム番号のオフセット値を表し、Ｔは、通信デバイスのページングサイクルを表し、ＵＥ＿ＩＤは、通信デバイスの識別子を表す。実際の適用例では、ＵＥ＿ＩＤ＝ｍｏｄ（ＩＭＳＩ，１０２４）であり、国際モバイル加入者識別（Ｉｎｔｅｒｎａｔｉｏｎａｌ  Ｍｏｂｉｌｅ  Ｓｕｂｓｃｒｉｂｅｒ  Ｉｄｅｎｔｉｔｙ  Ｎｕｍｂｅｒ、ＩＭＳＩ）は、モバイルユーザを識別するためのフラグであり、ｄｉｖは正確な除算を表し、Ｎ＝ｍｉｎ（Ｔ，ｎＢ）であり、ｎＢはプリセット定数であり、ｎＢの値セットは、｛４Ｔ，２Ｔ，Ｔ，Ｔ／２，Ｔ／４，Ｔ／８，Ｔ／１６｝である。
【０１８２】
ページング機会の番号は、式ｉ＿ｓ＝ｆｌｏｏｒ（ＵＥ＿ＩＤ／Ｎ）  ｍｏｄ  Ｎsに従って決定され、ｉ＿ｓはページング機会の番号を表し、ｆｌｏｏｒ（）は切り捨てを表し、Ｎs＝ｍａｘ（１，ｎＢ／Ｔ）である。ｉ＿ｓの値セットは｛０，１，２，３｝であることに留意されたい。
【０１８３】
番号が０であるページング機会は、番号が０からＭ−１までであるＭ個のモニタリング機会を含み、番号が１であるページング機会は、番号がＭから２Ｍ−１までであるＭ個のモニタリング機会を含み、番号が２であるページング機会は、番号が２Ｍから３Ｍ−１までであるＭ個のモニタリング機会を含み、番号が３であるページング機会は、番号が３Ｍから４Ｍ−１までであるＭ個のモニタリング機会を含み、Ｍは、セルによって実際に送信されたビームの総数量を表すことに留意されたい。
【０１８４】
任意選択で、モニタリング機会に番号付けするためのルールは、モニタリング機会が、通信デバイスに対応するページングフレームの開始境界の後の１番目のモニタリング機会から開始して０から連続的に番号付けされることである。
【０１８５】
Ｓ２０２．ネットワークデバイスが、ビームについての情報及びビームとモニタリング機会との間のマッピング関係に基づいて、ビームに対応するモニタリング機会を決定する。
【０１８６】
ビームについての情報は、ビームのインデックスを含む。ビームは、いずれかのセルによって実際に送信されたビームである。
【０１８７】
本出願のこの実施形態では、ビームとモニタリング機会との間のマッピング関係は、ビームとモニタリング機会との間の１対１の対応関係である。
【０１８８】
例えば、ビームとモニタリング機会との間のマッピング関係は、ビームのインデックスとモニタリング機会の番号との間の差がプリセット値に等しいことである。任意選択で、プリセット値は、セルによって実際に送信されたビームの総数量の整数倍を含む。
【０１８９】
任意選択で、ビームとモニタリング機会との間のマッピング関係は、リスト又は式の形態で実装されてよい。もちろん、ビームとモニタリング機会との間の対応関係は、代替として別の形態で実装されてよく、これは、本出願のこの実施形態では限定されない。
【０１９０】
例えば、表３は、ビームとモニタリング機会との間のマッピング関係の例を示している。
【０１９１】
【表３】
2021528013.tif 000030
【０１９２】
例えば、ビームとモニタリング機会との間のマッピング関係は、以下の式、ｍｏｄ（機会インデックス，Ｎ）＝ｉ、によって表されてよく、機会インデックスは、システム情報ウィンドウ中のモニタリング機会の番号を表し、Ｎは、セルによって実際に送信されたビームの総数量を表し、ｉはビームのインデックスを表す。
【０１９３】
Ｓ２０３．ネットワークデバイスが、ビームに対応するモニタリング機会におけるビームを使用することによってダウンリンク制御情報を送信する。
【０１９４】
ダウンリンク制御情報はＰＤＣＣＨ中で搬送される。ダウンリンク制御情報は、ページング情報を搬送するためのＰＤＳＣＨの時間周波数情報を示すために使用される。
【０１９５】
例えば、表３を参照しながら説明が与えられる。ネットワークデバイスは、インデックスが０であるビームを使用することによって、０に番号付けされたモニタリング機会においてダウンリンク制御情報を送信する。ネットワークデバイスは、インデックスが１であるビームを使用することによって、１に番号付けされたモニタリング機会においてダウンリンク制御情報を送信する。アナロジーによって、ネットワークデバイスは、インデックスがＮ−１であるビームを使用することによって、Ｎ−１に番号付けされたモニタリング機会においてダウンリンク制御情報を送信する。
【０１９６】
Ｓ２０４．通信デバイスが、通信デバイスに対応するページング機会を決定する。
【０１９７】
ステップＳ２０１はステップＳ２０４と同様である。関係する説明については、ステップＳ２０４を参照されたい。本出願のこの実施形態では、詳細について本明細書で再び説明されない。
【０１９８】
Ｓ２０５．通信デバイスが、ターゲットビームについての情報を決定する。
【０１９９】
ターゲットビームについての情報は、ターゲットビームのインデックスを含む。
【０２００】
ターゲットビームは、セルによって実際に送信されたビーム中の、特定の条件を満たすビームである。例えば、ターゲットビームの信号強度がプリセット値よりも大きいか、又は、ターゲットビームの信号強度が、高から低へのビームの信号強度ランキングに関して、プリセット位置よりも高くランキングされる。
【０２０１】
ターゲットビームの信号強度がプリセット値よりも大きいか、又は、ターゲットビームの信号強度がプリセット位置よりも高くランキングされることは、通信デバイスがターゲットビームのカバレージエリア内にあることを示し、従って、通信デバイスは、ターゲットビームを使用することによってネットワークデバイスによって配信された情報を受信することができることが理解できよう。
【０２０２】
任意選択の実装では、通信デバイスは、ビームの信号強度を検出して、ターゲットビームを決定し、ターゲットビームについての情報をさらに決定する。
【０２０３】
ターゲットビームの数量は、本出願のこの実施形態では限定されず、即ち、通信デバイスは、ターゲットビームとして複数の異なるビームを決定し得ることに留意されたい。
【０２０４】
Ｓ２０６．通信デバイスが、ターゲットビームについての情報、及びビームとモニタリング機会との間のマッピング関係に基づいて、ターゲットモニタリング機会を決定する。
【０２０５】
ターゲットモニタリング機会はターゲットビームに対応する。
【０２０６】
ステップＳ２０６はステップＳ２０２と同様である。関係する説明については、ステップＳ２０２を参照されたい。本出願のこの実施形態では、詳細について本明細書で再び説明されない。
【０２０７】
Ｓ２０７．通信デバイスが、ターゲットモニタリング機会においてダウンリンク制御情報をモニタリングする。
【０２０８】
例えば、表３を参照しながら説明が与えられる。通信デバイスが、ターゲットビームのインデックスが０であると決定した場合、通信デバイスは、０に番号付けされたモニタリング機会においてダウンリンク制御情報をモニタリングする。通信デバイスが、ターゲットビームのインデックスが１であると決定した場合、通信デバイスは、１に番号付けされたモニタリング機会においてダウンリンク制御情報をモニタリングする。アナロジーによって、通信デバイスが、ターゲットビームのインデックスがＮ−１であると決定した場合、通信デバイスは、Ｎ−１に番号付けされたモニタリング機会においてダウンリンク制御情報をモニタリングする。
【０２０９】
本出願のこの実施形態において提供される情報送信方法によれば、ネットワークデバイスは、通信デバイスに対応するページング機会を決定し、ページング機会は複数のモニタリング機会を含み、これらのモニタリング機会はプリセット条件を満たし、それにより、モニタリング機会がアップリンクシンボル、フレキシブルシンボル、又はＳＳＢと衝突しないことが保証される。これは、ネットワークデバイスが、ページング機会中に含まれるモニタリング機会においてダウンリンク制御情報を正常に送信することができることを保証し、それにより、通信デバイスがページング情報を正常に取得することができることを保証する。
【０２１０】
上記のステップＳ２０１及びＳ２０２の行為は、図４に示されているネットワークデバイス中のプロセッサ２０１によって、メモリ２０２に記憶されたアプリケーションプログラムコードを呼び出すことによって実施され得る。上記のステップＳ２０３の行為は、図４に示されているネットワークデバイス中の通信インターフェース２０３によって実施され得る。上記のステップＳ２０４からＳ２０６の行為は、図４に示されている通信デバイス中のプロセッサ３０１によって、メモリ３０２に記憶されたアプリケーションプログラムコードを呼び出すことによって実施され得る。上記のステップＳ２０７の行為は、図４に示されている通信デバイス中の通信インターフェース３０３によって実施され得る。これは、本出願のこの実施形態では限定されない。
【０２１１】
本出願の実施形態において提供される解決策は、上記では通信デバイスとネットワークデバイスとの間の対話の観点から主に説明された。上記の機能を実装するために、通信デバイス及びネットワークデバイスは、機能を実施するための対応するハードウェア構造及び／又はソフトウェアモジュールを含むことが理解されよう。当業者は、本明細書で開示される実施形態において説明される例との関連において、ユニット及びアルゴリズムステップが、本出願ではハードウェア又はハードウェアとコンピュータソフトウェアの組み合わせによって実装され得ることに容易に気づいているはずである。機能が、ハードウェアによって実施されるか、又はコンピュータソフトウェアによって駆動されるハードウェアによって実施されるかは、技術的解決策の特定の適用例及び設計制約に依存する。当業者は、特定の適用例ごとに説明される機能を実装するために異なる方法を使用してよいが、その実装が本出願の範囲を越えると考えられるべきではない。
【０２１２】
本出願の実施形態では、通信デバイス及びネットワークデバイスはそれぞれ、上記の方法例に基づいて分割されてよく、例えば、対応する機能に基づいてモジュール又はユニットに分割されてよいか、又は２つ以上の機能が１つの処理モジュールへと統合されてよい。上記の統合されたモジュールは、ハードウェアの形態で実装され得るか、又はソフトウェアモジュール又はユニットの形態で実装され得る。本出願のこの実施形態では、モジュール又はユニット分割は例として使用され、論理的機能分割にすぎない。実際の実装では、別の分割方式が使用されてよい。
【０２１３】
例えば、機能モジュールが機能に基づいて分割されたとき、図７は、上記の実施形態におけるネットワークデバイスの可能な概略構造図である。図７に示されているように、ネットワークデバイスは、処理モジュール７０１及び送信モジュール７０２を含む。処理モジュール７０１は、図５のステップＳ１０１、図６のステップＳ２０１及びＳ２０２、及び／又は本明細書において説明される技術の他の処理を実施する際にネットワークデバイスをサポートするように構成される。送信モジュール７０２は、図５のステップＳ１０２、図６のステップＳ２０３、及び／又は本明細書において説明される技術の他の処理を実施する際にネットワークデバイスをサポートするように構成される。
【０２１４】
本出願のこの実施形態では、装置は、機能に基づく機能モジュールの分割によって提示されるか、又は装置は、統合方式における機能モジュールの分割によって提示される。本明細書における「モジュール」は、１つ又は複数のソフトウェア又はファームウェアプログラムを実行するための特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、回路、プロセッサ及びメモリ、上記の機能を提供することが可能な集積論理回路又は別のデバイスを含み得る。単純な実施形態では、当業者は、ネットワークデバイスが、実装のために図４に示されているネットワークデバイスを使用し得ることを理解されよう。例えば、図７の送信モジュール７０２は図４の通信インターフェース２０３によって実装されてよく、処理モジュール７０１は図４のプロセッサ２０１によって実装されてよい。これは、本出願のこの実施形態では限定されない。
【０２１５】
図８は、ネットワークデバイスの別の実装を示す。ネットワークデバイスは、プロセッサ８０１、アプリケーションプロセッサ、メモリ、ユーザインターフェース、入力／出力インターフェース、無線トランシーバ８０２、及び（図に示されていない電源などのデバイスを含む）いくつかの他の構成要素を含む。図８において、プロセッサ８０１は、上記の処理モジュール７０１の機能を実装し、無線トランシーバ８０２は、上記の送信モジュール７０２の機能を実装する。図に示されている構成要素は、例として使用されているにすぎず、この実施形態の実装のために必要な構成要素ではなく、例えば、入力／出力インターフェースは、独立した構成要素の形態で存在する代わりに、回路に統合されてよいことが理解されよう。
【０２１６】
図９は、ネットワークデバイスの別の実装を示す。ネットワークデバイスは、データ送信プロセッサ９０１、プロセッサ９０２、及びデータ受信プロセッサ９０３を含む。図９において、データ送信プロセッサ９０１は、上記の送信モジュール７０２の機能を実装し、プロセッサ９０２は、上記の処理モジュール７０１の機能を実装する。図９はチャネルエンコーダ及びチャネルデコーダを示しているが、これらのモジュールは、この実施形態の限定的な説明とはならず、例として使用されているにすぎないことが理解されよう。
【０２１７】
図１０は、ネットワークデバイスの別の実装を示す。処理装置１０００は、変調サブシステム、中央処理サブシステム、及び周辺サブシステムなどのモジュールを含む。この実施形態におけるネットワークデバイスは、それの変調サブシステムとして使用され得る。特に、変調サブシステムは、プロセッサ１００１及びインターフェース１００３を含み得る。プロセッサ１００１は、上記の処理モジュール７０１の機能を実装し、インターフェース１００３は、上記の送信モジュール７０２の機能を実装する。変形態として、変調サブシステムは、メモリ１００２と、プロセッサ１００１と、メモリに記憶され、プロセッサ上で実行されることが可能なプログラムとを含む。プロセッサがプログラムを実行したとき、情報送信方法が実装される。メモリ１００２は不揮発性又は揮発性であってよく、メモリ１００２がプロセッサ１００１に接続されることが可能であるとすれば、変調サブシステム中に配置されても処理装置１０００中に配置されてもよいことに留意されたい。
【０２１８】
この実施形態において提供されるネットワークデバイスは上記の情報送信方法を実施することができるので、それの達成されることが可能な技術的効果については、上記の方法実施形態への参照が行われてよい。詳細について本明細書で再び説明されない。
【０２１９】
本出願の実施形態は、コンピュータ可読記憶媒体をさらに提供し、コンピュータ可読記憶媒体は命令を記憶する。コンピュータ可読記憶媒体がネットワークデバイス上で実行されたとき、ネットワークデバイスは、本出願の実施形態では図５及び図６に示されている情報送信方法を実施することが可能である。
【０２２０】
任意選択で、本出願の実施形態は、チップシステムを提供し、チップシステムは、図５及び図６に示されている情報送信方法を実装する際にネットワークデバイスをサポートするように構成されたプロセッサを含む。可能な設計では、チップシステムはメモリをさらに含む。メモリは、ネットワークデバイスのために必要であるプログラム命令及びデータを記憶するように構成される。もちろん、メモリはチップシステム中になくてもよい。チップシステムは、チップを含み得るか、又はチップ及び別の個別デバイスを含み得る。これは、本出願のこの実施形態では特に限定されない。
【０２２１】
例えば、機能モジュールが機能に基づいて分割されたとき、図１１は、上記の実施形態における通信デバイスの可能な概略構造図である。図１１に示されているように、通信デバイスは、処理モジュール１１０１及び受信モジュール１１０２を含む。処理モジュール１１０１は、図５のステップＳ１０３及びＳ１０４、図６のステップＳ２０４からＳ２０６、及び／又は本明細書において説明される技術の他の処理を実施する際に通信デバイスをサポートするように構成される。受信モジュール１１０２は、図５のステップＳ１０５、図６のステップＳ２０７、及び／又は本明細書において説明される技術の他の処理を実施する際に通信デバイスをサポートするように構成される。
【０２２２】
本出願のこの実施形態では、装置は、機能に基づく機能モジュールの分割によって提示されるか、又は装置は、統合方式における機能モジュールの分割によって提示される。本明細書における「モジュール」は、１つ又は複数のソフトウェア又はファームウェアプログラムを実行するための特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、回路、プロセッサ及びメモリ、上記の機能を提供することが可能な集積論理回路又は別のデバイスを含み得る。単純な実施形態では、当業者は、通信デバイスが、図４に示されている通信デバイスを使用することによって実装され得ることを理解されよう。例えば、図１１の受信モジュール１１０２は図４の通信インターフェース３０３によって実装されてよく、処理モジュール１１０１は図４のプロセッサ３０１によって実装されてよい。これは、本出願のこの実施形態では限定されない。
【０２２３】
図１２は、通信デバイスの別の実装を示す。通信デバイスは、プロセッサ１２０１、アプリケーションプロセッサ、メモリ、ユーザインターフェース、カメラ、入力／出力インターフェース、無線トランシーバ１２０２、及び（図に示されていない電源などのデバイスを含む）いくつかの他の構成要素を含む。図１２において、プロセッサ１２０１は、上記の処理モジュール１１０１の機能を実装し、無線トランシーバ１２０２は、上記の受信モジュール１１０２の機能を実装する。図に示されている構成要素は、例として使用されているにすぎず、この実施形態の実装のために必要な構成要素ではなく、例えば、カメラは省略されてよく、入力／出力インターフェースは、独立した構成要素の形態で存在する代わりに、回路に統合されてよいことが理解されよう。
【０２２４】
図１３は、通信デバイスの別の実装を示す。通信デバイスは、データ送信プロセッサ１３０１、プロセッサ１３０２、及びデータ受信プロセッサ１３０３を含む。図１３において、プロセッサ１３０２は、上記の処理モジュール１１０１の機能を実装し、データ受信プロセッサ１３０３は、上記の受信モジュール１１０２の機能を実装する。図１３はチャネルエンコーダ及びチャネルデコーダを示しているが、これらのモジュールは、この実施形態の限定的な説明とはならず、例として使用されているにすぎないことが理解されよう。
【０２２５】
図１４は、通信デバイスの別の実装を示す。処理装置１４００は、変調サブシステム、中央処理サブシステム、及び周辺サブシステムなどのモジュールを含む。この実施形態における通信デバイスは、それの変調サブシステムとして使用され得る。特に、変調サブシステムは、プロセッサ１４０１及びインターフェース１４０３を含み得る。プロセッサ１４０１は、上記の処理モジュール１１０１の機能を実装し、インターフェース１４０３は、上記の受信モジュール１１０２の機能を実装する。別の変形態として、変調サブシステムは、メモリ１４０２と、プロセッサ１４０１と、メモリに記憶され、プロセッサ上で実行されることが可能なプログラムとを含む。プロセッサがプログラムを実行したとき、情報送信方法が実装される。メモリ１４０２は不揮発性又は揮発性であってよく、メモリ１４０２がプロセッサ１４０１に接続されることが可能であるとすれば、変調サブシステム中に配置されても処理装置１４００中に配置されてもよいことに留意されたい。
【０２２６】
この実施形態において提供される通信デバイスは上記の情報送信方法を実施することができるので、それの達成されることが可能な技術的効果については、上記の方法実施形態への参照が行われてよい。詳細について本明細書で再び説明されない。
【０２２７】
本出願の実施形態は、コンピュータ可読記憶媒体をさらに提供し、コンピュータ可読記憶媒体は命令を記憶する。コンピュータ可読記憶媒体が通信デバイス上で実行されたとき、通信デバイスは、本出願の実施形態では図５及び図６に示されている情報送信方法を実施することが可能である。
【０２２８】
任意選択で、本出願の実施形態は、チップシステムを提供し、チップシステムは、図５及び図６に示されている方法を実装する際に通信デバイスをサポートするように構成されたプロセッサを含む。可能な設計では、チップシステムはメモリをさらに含む。メモリは、通信デバイスのために必要であるプログラム命令及びデータを記憶するように構成される。もちろん、メモリはチップシステム中になくてもよい。チップシステムは、チップを含み得るか、又はチップ及び別の個別デバイスを含み得る。これは、本出願のこの実施形態では特に限定されない。
【０２２９】
上記の実施形態の全部又は一部は、ソフトウェア、ハードウェア、ファームウェア、又はそれらの任意の組み合わせによって実装され得る。実施形態を実装するためにソフトウェアプログラムが使用されるとき、実施形態は、完全に又は部分的にコンピュータプログラム製品の形態で実装され得る。コンピュータプログラム製品は１つ又は複数のコンピュータ命令を含む。コンピュータプログラム命令がコンピュータ上にロードされ、実行されたとき、本出願の実施形態による手順又は機能が全て又は部分的に生成される。コンピュータは、汎用コンピュータ、専用コンピュータ、コンピュータネットワーク、又は別のプログラマブル装置であり得る。コンピュータ命令は、コンピュータ可読記憶媒体に記憶され得るか、又はコンピュータ可読記憶媒体から別のコンピュータ可読記憶媒体に送信され得る。例えば、コンピュータ命令は、ワイヤード（例えば、同軸ケーブル、光ファイバー、又はデジタル加入者線（ｄｉｇｉｔａｌ  ｓｕｂｓｃｒｉｂｅｒ  ｌｉｎｅ、ＤＳＬ））又はワイヤレス（例えば、赤外線、無線、又はマイクロ波）方式でウェブサイト、コンピュータ、サーバ、又はデータセンターから別のウェブサイト、コンピュータ、サーバ、又はデータセンターに送信され得る。コンピュータ可読記憶媒体は、コンピュータによってアクセス可能な任意の使用可能な媒体であるか、又は１つ又は複数の使用可能な媒体を組み込んでいるサーバ又はデータセンターなどのデータ記憶デバイスであり得る。使用可能な媒体は、磁気媒体（例えば、フロッピーディスク、ハードディスク、又は磁気テープ）、光媒体（例えば、ＤＶＤ）、半導体媒体（例えば、ソリッドステートドライブ（ｓｏｌｉｄ−ｓｔａｔｅ  ｄｒｉｖｅ、ＳＳＤ））などであり得る。
【０２３０】
本出願について実施形態に関して説明されたが、保護を請求する本出願を実装する工程では、当業者は、添付の図面、開示された内容、及び添付の特許請求の範囲を閲覧することによって、開示された実施形態の別の変形を理解し、実装してよい。特許請求の範囲において、「備える」（ｃｏｍｐｒｉｓｉｎｇ）は別の構成要素又は別のステップを除外せず、「ａ」又は「ｏｎｅ」は複数のケースを除外しない。単一のプロセッサ又は別のユニットは、特許請求の範囲において列挙されたいくつかの機能を実装し得る。いくつかの方策が、互いに異なる従属請求項に記録されるが、これは、より良い効果を奏するためにこれらの方策が組み合わされることが不可能であることを意味しない。
【０２３１】
本出願についてそれの特定の特徴及び実施形態に関して説明されたが、明らかに、それらには、本出願の趣旨及び範囲から逸脱することなく、様々な変更及び組み合わせが行われてよい。対応して、本明細書及び添付の図面は、添付の特許請求の範囲によって定義される本出願の例示的な説明にすぎず、本出願の範囲を包含するいずれか又は全ての変更、変形、組み合わせ又は均等物として見なされる。明らかに、当業者は、本出願の趣旨及び範囲から逸脱することなく本出願に様々な変更及び変形を行うことができる。本出願は、本出願の以下の特許請求の範囲によって定義される保護の範囲及びそれらの等価な技術内に本出願のこれらの変更及び変形が入るとすれば、それらを包含することを意図されている。
【国際調査報告】
2021528013.tif 000031
2021528013.tif 000032
2021528013.tif 000033
2021528013.tif 000034